(57)【要約】  基準信号のチャネル特性を設定するための方法および装置、ならびに通信デバイスが開示される。この方法は：第１タイプシグナリングを決定するステップであって、前記第１タイプシグナリングは第１タイプセットを搬送し、前記第１タイプセットは複数のインデックス要素を含む、ステップ；前記第１タイプシグナリングを第２通信ノードに対して送信するステップ；を有する。【選択図】図４
2021503836.tif 000002
【特許請求の範囲】
【請求項１】
第１通信ノードに対して適用される、基準信号のチャネル特性を設定するための方法であって、
第１タイプシグナリングを決定するステップであって、前記第１タイプシグナリングは第１タイプセットを搬送し、前記第１タイプセットは複数のインデックス要素を有する、ステップ；
前記第１タイプシグナリングを第２通信ノードに対して送信するステップ；
を有する方法。
【請求項２】
前記複数のインデックス要素のうちの１つは、
インデックス要素番号、基準信号タイプインデックス、基準信号リソース構成インデックス、基準信号リソース構成インデックス、基準信号リソースセットインデックス、基準信号リソースインデックス、基準信号ポ−トインデックス、リソースブロックインデックス、リソースブロックバーストインデックス、リソースブロックバーストセットインデックス、測定限界ウィンドウインデックス、時間領域ウィンドウインデックス、レポ−ト構成インデックス、ビームグループ化インデックス、測定制約、構成制約、時間制約、トリガ情報、基準信号グループインデックス、
のうちの少なくとも１つを含む、
請求項１記載の方法。
【請求項３】
前記基準信号は、
同期信号ブロック（ＳＳブロック）、チャネル状態通知基準信号（ＣＳＩ−ＲＳ）、サウンディング基準信号（ＳＲＳ）、物理ランダムアクセスチャネル（PＲＡＣＨ）信号、復調基準信号（ＤＭＲＳ）、
のうちの少なくとも１つを含む、
請求項２記載の方法。
【請求項４】
前記第１タイプセットはＭ個のセットを含み、
前記第１タイプセットのｉ番目のセットはＮｉ個のインデックス要素を含み、ＭおよびNｉは１以上の整数である、
請求項１記載の方法。
【請求項５】
前記第１タイプセットの各セットは、前記複数のインデックス要素のうちの１つを含む、
請求項４記載の方法。
【請求項６】
前記第１タイプセットは、
送信構成通知状態、候補送信構成通知状態、アップリンク送信構成通知状態、
のうちの１つである、
請求項４記載の方法。
【請求項７】
前記第１タイプシグナリングを前記第２通信ノードに対して送信した後、前記方法はさらに、
前記第１タイプセットを再設定するステップ；
前記第１タイプシグナリングを送信し前記再構成された第１タイプセットが前記第２通信ノードに対して搬送されるか、または、前記再構成された第１タイプセットに関する再構成情報を前記第２通信ノードに対して送信するステップ；
を有し、
前記第１タイプセットを再設定するステップは、
前記第１タイプセットに対して新しい第１タイプセットを追加する；
前記第１タイプセットから指定されたセットを削除する；
前記第１タイプセット内の指定されたセット内の指定されたエレメントを更新する；
前記第１タイプセット内の指定されたセット内の指定された要素を削除する；
前記第１タイプセット内の指定されたセットに対して新しいインデックス要素を追加する；
のうち少なくとも１つを含む、
請求項１に記載の方法。
【請求項８】
前記第１タイプシグナリングを前記第２通信ノードに対して送信した後、前記方法はさらに、
第２タイプシグナリングを決定するステップであって、第２タイプセットの通知情報は、前記第２通信ノードについての前記第１タイプセットに基づいて、前記第２タイプセットを通知するために前記第２タイプシグナリングによって搬送される、ステップ；
前記第２タイプシグナリングを前記第２通信ノードに対して送信するステップ；
を有し、
前記第２タイプセットの前記通知情報は、
前記第１タイプセット内のセットの一部をアクティブ化し、前記第１タイプセット内の前記アクティブ化されたセットを使用して前記第２タイプセットを形成する；
前記第１タイプセット内のセットの一部または全部を結合して前記第２タイプセットを形成する；
前記第１タイプセット内の複数のインデックス要素を結合して前記第２タイプセットを形成する；
のうちの少なくとも１つのために使用される、
請求項１から７のいずれか１項記載の方法。
【請求項９】
前記取得された第２タイプセットはＳ個のセットを含み、
前記第２タイプセットのｉ番目のセットはＫｉ個のインデックス要素を含み、ＳおよびＫｉは１以上の整数である、
請求項８記載の方法。
【請求項１０】
前記方法はさらに、
前記第１タイプセット内のセット、または前記第１タイプセット内の複数のインデックス要素に対して、ビットマップを使用して前記第２タイプセットを形成するように指示するステップ、
を有する、
請求項８記載の方法。
【請求項１１】
各前記第１タイプセットまたは前記第１タイプセット内の複数のインデックス要素のそれぞれは、前記ビットマップ内のそれぞれのビットに対応し、
ビット位置内の特定の値は、前記ビット位置に対応するセットのアクティブ化、組み合わせ、または選択を表し、または、前記ビット位置に対応するセット内のインデックス要素のアクティブ化、組み合わせ、または選択を表す、
請求項１０記載の方法。
【請求項１２】
前記方法はさらに、
前記ビットマップ内のビットの順序に従って、セットまたはビットマップを介して選択されたセット内のインデックス要素をエンコードし、前記第２タイプセット内のセットまたは前記第２タイプセット内のインデックス要素を通知するステップ、
を有する、
請求項１１記載の方法。
【請求項１３】
前記第２タイプセット内のＸ１個のセットは明示的に通知され、前記第２タイプセット内のＬ−Ｘ１個のセットは前記ビットマップを使用して通知され、
Ｘ１とＬは１以上の整数であり、Ｌは前記第２タイプシグナリングで搬送される前記第２タイプセットのセット数であり、Ｘ１はＬより小さい整数である、
請求項１１記載の方法。
【請求項１４】
前記方法はさらに、
第３タイプシグナリングを決定するステップであって、第３タイプセットの通知情報は、前記第２通信ノードについての前記第１タイプセットまたは前記第２タイプセットの範囲内のセットを通知するために、前記第３タイプシグナリングによって搬送される、ステップ；
前記第３タイプシグナリングを前記第２通信ノードに対して送信するステップ；
を有し、
前記第３タイプセットの前記通知情報は、
項目１：関連するダウンリンク復調基準信号のチャネル特性仮定；
項目２：関連アップリンク復調基準信号または関連アップリンク復調基準信号のチャネル特性仮定；
項目３：関連物理アップリンク制御チャネル（ＰＵＣＣＨ）または関連ＰＵＣＣＨの関連レイヤ；
項目４：関連物理アップリンク共有チャネル（ＰＵＳＣＨ）または関連ＰＵＳＣＨの関連レイヤ；
項目５：関連するチャネル状態表示基準信号（ＣＳＩ−ＲＳ）のチャネル特性過程；
項目６：関連するサウンディング基準信号（ＳＲＳ）のチャネル特性仮定；
項目７：関連する干渉測定リソース（ＩＭＲ）のチャネル特性仮定；
のうちの少なくとも１つを通知するために使用される、
請求項８記載の方法。
【請求項１５】
前記方法はさらに、
:第３タイプセットを決定するステップ；
前記第３タイプセットを前記第２通信ノードに対して送信するステップ；
を有し、
前記第３タイプセットはＴ個のセットを含み、前記Ｔ個のセットのｉ番目のセットはＲｉ個のアップリンク基準信号インデックス要素を含み、ＴおよびＲｉは１以上の整数である、
請求項１記載の方法。
【請求項１６】
前記方法はさらに、
第４タイプシグナリングを決定するステップであって、第４タイプセットの通知情報は、前記第１タイプセット、前記第２タイプセット、または前記第３タイプセットの範囲内のセットを前記第２通信ノードに対して通知するために、前記第４タイプシグナリングによって搬送される、ステップ；
前記第４タイプシグナリングを前記第２通信ノードに対して送信するステップ；
を有し、
前記第４タイプセットの前記通知情報は、
（ｉ）関連するアップリンク復調基準信号、または関連するアップリンク復調基準信号のチャネル特性仮定；
（ｉｉ）関連するサウンディング基準信号 （ＳＲＳ） またはＳＲＳのチャネル特性仮定；
のうちの少なくとも１つを示すために使用される、
請求項１記載の方法。
【請求項１７】
前記第４タイプシグナリングのチャネル特性仮定は、同じ空間フィルタに基づくか、同じアンテナポ−ト仮定に基づくか、または下記パラメ−タセット（ａ）もしくはパラメ−タセット（ｂ）のうちいずれかに基づく：
（ａ）ドップラー拡散、ドップラーシフト、遅延拡散、平均遅延、平均利得、および空間パラメ−タ；
（ｂ）ドップラー拡散、ドップラーシフト、遅延拡散、平均遅延、および空間パラメ−タ；
請求項１６記載の方法。
【請求項１８】
アップリンク基準信号は、
ＳＲＳ、PＲＡＣＨ信号、アップリンク復調基準信号（ＵＬ  ＤＭＲＳ）、
のうちの１つを含む、
請求項１５記載の方法。
【請求項１９】
前記ＵＬ  ＤＭＲＳは、ＰＵＣＣＨに関連付けられるか、またはＰＵＳＣＨに関連付けられる、
請求項１８記載の方法。
【請求項２０】
前記第４タイプシグナリングのチャネル特性仮定の制約条件は、第３タイプシグナリングのチャネル特性仮定の制約条件よりも強い、
請求項１６記載の方法。
【請求項２１】
Ｅ≧２Ｎｄである場合、（２Nd−１）個のＳＲＳリソースセットがＥ個のＳＲＳリソースセットから選択され、次いで、非周期的ＳＲＳリソースをトリガするようにダウンリンク制御情報（ＤＣＩ）通知フィ−ルドと関連付けられ；
Ｅ＜２Ｎｄである場合、Ｅ個のＳＲＳリソースセットは非周期的ＳＲＳリソースをトリガするようにＤＣＩ通知フィ−ルドと関連付けられ；
Ｅ、Ｎｄ、およびＷｉは１以上の正の整数である、
請求項１６記載の方法。
【請求項２２】
前記（２Ｎｄ−１）個のＳＲＳリソースセットは、ビットマップを使用することによって、前記Ｅ個のＳＲＳリソースセットから選択される、
請求項２１記載の方法。
【請求項２３】
前記第３タイプセットの各セットは、１つのインデックス要素を含む、請求項２１記載の方法。
【請求項２４】
前記ＣＳＩ−ＲＳ、前記ＳＲＳ、または前記ＩＭＲは非周期的基準信号であり、基準信号リソースまたは基準信号リソースセットの個数は２Ｇ以上であり、
（２Ｇ−１）個のリソースまたはリソースセットは、Ｙ個の基準信号リソースまたは基準信号リソースプ−ルから選択され、
前記選択された（２Ｇ−１）個のリソースまたはリソースセット内の各セットは、前記選択されたリソースまたはリソースセットのチャネル特性仮定を示すために、前記第３タイプシグナリングによって通知される前記第２タイプセット内のセットに関連付けられるか、または、前記第３タイプシグナリングによって通知される前記第１タイプセット内のセットに関連付けられる、
請求項１４記載の方法。
【請求項２５】
前記チャネル特性仮定は、
準同一位置、ドップラー拡散、ドップラーシフト、遅延拡散、平均遅延、平均利得、空間受信パラメ−タ、空間関係、空間パラメ−タ、
のうちの少なくとも１つを含む、
請求項１４記載の方法。
【請求項２６】
規則に従って、ＰＵＣＣＨを通知するために、または関連するＰＵＣＣＨの復調基準信号のチャネル特性仮定を通知するために、前記第２タイプセット内の特定のセットが使用される、
請求項８記載の方法。
【請求項２７】
前記規則は、
ル−ル１：最も低いインデックスを持つセット；
ル−ル２：インデックスが最も高いセット；
ル−ル３：第１通信ノードによって構成されたインデックスに従ってセットを決定する；
のうちの少なくとも１つを表す、
請求項２６記載の方法。
【請求項２８】
前記方法はさらに、
:第５タイプシグナリングを生成し、（ｉ）前記第１タイプセット内の１つのセット、または（ｉｉ）前記第２タイプセット内の１つのセットを前記第２通信ノードのビームレポ−トに関連付け、ビームレポ−ト結果に従って、通知されたセットまたは通知されたセット内の通知されたインデックス要素を更新するステップ、
を有する、
請求項１記載の方法
【請求項２９】
前記方法はさらに、
前記第１通信ノードが前記ビーム報告を受信した後、前記第１通信ノードによって、更新された有効時間を示すための肯定応答シグナリングを前記第２通信ノードに対して送信するステップ、
を有する、
請求項２８記載の方法。
【請求項３０】
前記更新された有効時間は前記肯定応答シグナリングが送信された後のＸ個のスロットであり、Ｘは１以上の整数である、
請求項２９記載の方法。
【請求項３１】
前記方法はさらに、
（ｉ）前記第１タイプセット内の１つのセットもしくは前記第１タイプセット内の１つのセット内のインデックス要素、または、（ｉｉ）前記第２タイプセット内の１つのセットまたは前記第２タイプセット内の１つのインデックス要素に関連するダウンリンク基準信号のチャネル特性仮定を更新するステップ；
または、
（ｉ）前記第１タイプセット内の１つのセットもしくは前記第１タイプセット内の１つのセット内のインデックス要素、または、（ｉｉ）前記第２タイプセット内の１つのセットもしくは前記第２タイプセット内の１つのセット内のインデックス要素に関連するダウンリンク基準信号をアクティブ化するステップ；
を有する、
請求項３０記載の方法。
【請求項３２】
前記ダウンリンク基準信号は、
ＣＳＩ−ＲＳ、時間−周波数トラッキングのためのＣＳＩ−ＲＳ、トラッキング基準信号（ＴＲＳ）、
のうちの少なくとも１つを含む、
請求項３１記載の方法。
【請求項３３】
前記第２通信ノードに対して送信される前記肯定応答シグナリングに必要とされる特性は、
肯定応答シグナリングのＤＣＩを搬送すること、ＰＤＳＣＨをスケジュ−リングすること、
のうちの少なくとも１つを含む、
請求項２８記載の方法。
【請求項３４】
前記方法はさらに、
ポ−トインデックスのグループの通知に従ってＣＳＩを測定し報告するように前記第２通信ノードに対して指示するステップであって、前記第２通信ノードが前記ポ−トインデックスのグループの通知を理解していることにより特性要件を満たす、ステップ、
を有する、
請求項１記載の方法。
【請求項３５】
前記特性要件は、層間ネスティングの特性を含む、請求項３４記載の方法。
【請求項３６】
前記層間ネスティングの特性は、
ランクｉを測定するためのポ−トグループが、ランクｊを測定するためのポ−トグループのサブセットであり、ｉ＜ｊであり、ｉおよびｊは１以上の整数である、
請求項３５記載の方法。
【請求項３７】
第２通信ノードに対して適用される、基準信号のチャネル特性を設定するための方法であって、
第１通信ノードによって送信された第１タイプシグナリングを受信するステップ；
前記第１タイプシグナリングで搬送された第１タイプセットを取得するステップであって、前記第１タイプセットは複数のインデックス要素を備える、ステップ；
を有する方法。
【請求項３８】
前記複数のインデックス要素内の各インデックス要素は、
インデックス要素番号、基準信号タイプインデックス、基準信号リソース構成インデックス、基準信号リソース構成インデックス、基準信号リソースセットインデックス、基準信号リソースインデックス、基準信号ポ−トインデックス、リソースブロックインデックス、リソースブロックバーストインデックス、リソースブロックバーストセットインデックス、測定限界ウィンドウインデックス、時間領域ウィンドウインデックス、レポ−ト構成インデックス、ビームグループ化インデックス、測定制約、構成制約、時間制約、トリガ情報、基準信号グループインデックス、
のうちの少なくとも１つを含む、
請求項３７記載の方法。
【請求項３９】
前記基準信号は、
同期信号ブロック（ＳＳブロック）、チャネル状態通知基準信号（ＣＳＩ−ＲＳ）、サウンディング基準信号（ＳＲＳ）、物理ランダムアクセスチャネル（PＲＡＣＨ）信号、復調基準信号（ＤＭＲＳ）、
のうちの少なくとも１つを含む、
請求項３８記載の方法。
【請求項４０】
前記第１タイプセットは、
送信構成通知状態、候補送信構成通知状態、アップリンク送信構成通知状態、
のうちの１つである、
請求項３７記載の方法。
【請求項４１】
前記第１タイプシグナリングで搬送される前記第１タイプセットを取得した後、前記方法はさらに、
前記第１通信ノードによって送信された再構成された第１タイプシグナリングを受信するステップであって、前記再構成された第１タイプシグナリングは再構成された第１タイプセットを搬送する、ステップ；
または、
前記再構成された第１タイプセットに関する再構成情報を受信するステップ；
を有し、
前記第１タイプセットを再構成するステップは、
前記第１タイプセットへ新しい第１タイプセットを追加する；
前記第１タイプセットから指定されたセットを削除する；
前記第１タイプセット内の指定されたセット内の指定されたエレメントを更新する；
前記第１タイプセット内の指定されたセット内の指定されたエレメントを削除する；
前記第１タイプセット内の指定されたセットに対して新しいインデックス要素を追加する；
のうちの少なくとも１つを含む、
請求項３７に記載の方法。
【請求項４２】
前記方法はさらに、
前記第１通信ノードによって送信された第２タイプシグナリングを受信するステップであって、第２タイプセットの通知情報は、前記第１タイプセットに基づいて前記第２通信ノードに対して前記第２タイプセットを通知するために、前記第２タイプシグナリングによって搬送される、ステップ；
前記第２タイプシグナリングによって搬送された前記第２タイプセットの通知情報に基づいて、前記第２タイプセットを取得するステップ；
を有し、
前記第２タイプシグナリングによって搬送された前記第２タイプセットの通知情報に基づいて、前記第２タイプセットを取得するステップは、
前記第１タイプセット内のセットの一部をアクティブ化し、前記第１タイプセット内のアクティブ化されたセットによって前記第２タイプセットを形成するステップ；
前記第１タイプセット内のセットの一部または全部を前記第２タイプセットに結合するステップ；
前記第１タイプセット内の複数のインデックス要素を前記第２タイプセットに結合するステップ；
のうちの少なくとも１つを有する、
請求項３７から４１のいずれか１項記載の方法。
【請求項４３】
前記取得された第２タイプセットはＳ個のセットを有し、
前記第２タイプセットのｉ番目のセットはＫｉ個のインデックス要素を有し、ＳおよびＫｉは１以上の整数である、
請求項４２記載の方法。
【請求項４４】
前記方法はさらに、
前記第１タイプセット内のセット、または前記第１タイプセット内の複数のインデックス要素に対して、ビットマップを使用して前記第２タイプセットを形成するように指示するステップ、
を有する、
請求項４２記載の方法。
【請求項４５】
各前記第１タイプセット、または前記第１タイプセット内の前記複数のインデックス要素のそれぞれは、前記ビットマップ内のそれぞれのビットに対応し、
ビット位置内の特定の値は、前記ビット位置に関連するセットのアクティブ化、組み合わせ、または選択を示すか、または、前記ビット位置に関連するセット内のインデックス要素のアクティブ化、組み合わせ、または選択を示す、
請求項４４記載の方法。
【請求項４６】
前記方法はさらに、
前記ビットマップ内のビットの順序に従って、前記第１タイプセット内のセット、または前記第１タイプセット内の複数のインデックス要素をアクティブ化、結合、または選択して、前記第２タイプセット内のセット、または前記第２タイプセット内のインデックス要素を取得するステップ、
を有する、
請求項４５記載の方法。
【請求項４７】
前記方法はさらに、
前記第１通信ノードによって送信された第３タイプシグナリングを受信するステップであって、前記第３タイプセットの通知情報は、前記第１タイプセットまたは前記第２タイプセットの範囲内のセットを前記第２通信ノードに対して通知するために前記第３タイプシグナリングによって搬送される、ステップ；
前記第３タイプシグナリングで搬送された前記第３タイプセットの通知情報に従って、前記第１タイプセットまたは前記第２タイプセットに基づいて前記第３タイプセットを取得するステップ；
を有し、
前記第３タイプセットの通知情報は、
項目１：関連するダウンリンク復調基準信号のチャネル特性仮定；
項目２：関連アップリンク復調基準信号または関連アップリンク復調基準信号のチャネル特性仮定；
項目３：関連する物理アップリンク制御チャネル（ＰＵＣＣＨ）または関連するＰＵＣＣＨの関連レイヤ；
項目４：関連する物理アップリンク共有チャネル（ＰＵＳＣＨ）または関連するＰＵＳＣＨの関連レイヤ；
項目５：関連するチャネル状態表示基準信号（ＣＳＩ−ＲＳ）のチャネル特性仮定；
項目６：関連するサウンディング基準信号（ＳＲＳ）のチャネル特性仮定；
項目７：関連する干渉測定リソース（ＩＭＲ）のチャネル特性仮定；
のうちの少なくとも１つを通知するために使用される、
請求項４２記載の方法。
【請求項４８】
チャネル特性仮定は、
準同位置、ドップラー拡散、ドップラーシフト、遅延拡散、平均遅延、平均利得、空間受信パラメ−タ、空間関係、空間パラメ−タ、
のうちの少なくとも１つを含む、
請求項４７記載の方法。
【請求項４９】
前記方法はさらに、
前記第１通信ノードによって送信されたリンク再構成要求シグナリングの肯定応答を受信するステップ；
前記肯定応答を受信した後に、
前記第１タイプセット内の合意されたセットまたは前記第２タイプセット内の合意されたセットを、前記リンク再構成要求シグナリングによって通知されるダウンリンク基準信号に対応する基準信号インデックスへ更新するステップ；
受信した物理アップリンク共用チャネル（ＰＤＳＣＨ）のダウンリンク基準信号と復調基準信号（ＤＭＲＳ）がチャネル特性仮定を満たすことを決定するステップであって、前記ダウンリンク基準信号は前記リンク再構成要求信号伝達によって通知されるダウンリンク基準信号である、ステップ；
送信されるアップリンク基準信号および物理アップリンク制御チャネル（ＰＵＣＣＨ）がチャネル特性仮定を満たすことを決定するステップであって、前記アップリンク基準信号は前記リンク再構成要求シグナリングに関連付けられる、ステップ；
送信されるＰＵＣＣＨおよび要求シグナリングによって使用されるＰＵＣＣＨが同じチャネル特性仮定を有することを決定するステップであって、前記要求シグナリングによって使用されるＰＵＣＣＨは前記リンク再構成要求シグナリングによって使用されるＰＵＣＣＨである、ステップ；
のうちの少なくとも１つを実行するステップ；
を有する、
請求項３７または４２記載の方法。
【請求項５０】
通信デバイス上に構成された、基準信号のチャネル特性を設定するための装置であって、
第１タイプシグナリングを決定するように構成されたシグナリング決定ユニットであって、前記第１タイプシグナリングは第１タイプセットを搬送し、前記第１タイプセットは複数のインデックス要素を有する、シグナリング決定ユニット；
前記第１タイプシグナリングを第２通信ノードに対して送信するように構成されたシグナリング送信ユニット；
を備える装置。
【請求項５１】
前記シグナリング決定ユニットはさらに、前記第１タイプシグナリングが前記第２通信ノードに送信された後に、
前記第１タイプセットを再構成するステップ；
前記第１タイプシグナリングで搬送された前記再構成された第１タイプセットを前記第２通信ノードに対して送信し、または、前記再構成された第１タイプセットに関する再構成情報を前記第２通信ノードに対して送信するステップ、
を実施するように構成され、
前記第１タイプセットを再設定するステップは、
前記第１タイプセットへ新しい第１タイプセットを追加する；
前記第１タイプセットから指定されたセットを削除する；
前記第１タイプセット内の指定されたセット内の指定されたエレメントを更新する；
前記第１タイプセット内の指定されたセット内の指定されたエレメントを削除する；
前記第１タイプセット内の指定されたセットに対して新しいインデックス要素を追加する；
のうちの少なくとも１つを含む、
請求項５０記載の装置。
【請求項５２】
前記シグナリング決定ユニットはさらに、前記第１タイプシグナリングが前記第２通信ノードに対して送信された後に、第２タイプシグナリングを決定するステップであって、前記第２タイプセットの通知情報は、前記第２タイプシグナリングによって搬送されて、前記第２タイプセットに基づいて前記第２タイプセットを前記第２通信ノードに対して通知する、ステップを実施するように構成され、
前記シグナリング送信ユニットはさらに、前記第２タイプシグナリングを前記第２通信ノードに対して送信するように構成され、
前記第２タイプセットの通知情報は、
前記第１タイプセット内のセットの一部をアクティブ化し、前記第１タイプセット内のアクティブ化されたセットによって前記第２タイプセットを形成するステップ；
前記第１タイプセット内のセットの一部または全部を前記第２タイプセットに結合するステップ；
前記第１タイプセット内の複数のインデックス要素を前記第２タイプセットに結合するステップ；
のうちの少なくとも１つを通知するために使用される、
請求項５０に記載の装置。
【請求項５３】
前記シグナリング決定ユニットはさらに、第３タイプシグナリングを決定するステップであって、第３タイプセットの通知情報は、前記第１タイプセットまたは前記第２タイプセットの範囲内のセットを前記第２通信ノードに対して通知するために前記第３タイプシグナリングで搬送される、ステップを実施するように構成され、
前記シグナリング送信ユニットはさらに、前記第３タイプシグナリングを前記第２通信ノードに対して送信するように構成され、
前記第３タイプセットの通知情報は、
項目１：関連するダウンリンク復調基準信号のチャネル特性仮定；
項目２：関連アップリンク復調基準信号または関連アップリンク復調基準信号のチャネル特性仮定；
項目３：関連する物理アップリンク制御チャネル（ＰＵＣＣＨ）または関連するＰＵＣＣＨの関連レイヤ；
項目４：関連する物理アップリンク共有チャネル（ＰＵＳＣＨ）または関連するＰＵＳＣＨの関連レイヤ；
項目５：関連するチャネル状態表示基準信号（ＣＳＩ−ＲＳ）のチャネル特性前提；
項目６：関連するサウンディング基準信号（ＳＲＳ）のチャネル特性仮定；
項目７：関連する干渉測定リソース（ＩＭＲ）のチャネル特性仮定；
のうちの少なくとも１つを通知するために使用される、
請求項５０または５１記載の装置。
【請求項５４】
前記シグナリング決定ユニットはさらに、第４タイプシグナリングを決定するステップであって、第４タイプセットの通知情報は、前記第１タイプセット、第２タイプセット、または第３タイプセットの範囲内のセットを前記第２通信ノードに対して通知するために、前記第４タイプシグナリングで搬送される、ステップを実施するように構成され、
前記シグナリング送信ユニットはさらに、前記第４タイプシグナリングを前記第２通信ノードに対して送信するように構成され、
前記第４タイプのセットの通知情報は、
（ｉ）関連するアップリンク復調基準信号、または関連するアップリンク復調基準信号のチャネル特性仮定；
（ｉｉ）関連するサウンディング基準信号 （ＳＲＳ） またはＳＲＳのチャネル特性仮定；
のうちの少なくとも１つを通知するために使用される、
請求項５０記載の装置。
【請求項５５】
前記シグナリング決定ユニットはさらに、第５のタイプのシグナリングを生成し、（ｉ）前記第１タイプセット内の１つのセットまたは（ｉｉ）第２タイプセット内の１つのセットを前記第２通信ノードのビームレポ−トに関連付け、ビームレポ−ト結果に従って前記セット内の通知されたセットまたはインデックス要素を更新するように構成される、
請求項５０記載の装置。
【請求項５６】
メモリと、プロセッサと、前記メモリに記憶され、前記プロセッサ上で実行可能なコンピュ−タプログラムと、を備える端末であって、前記プロセッサは、前記コンピュ−タプログラムを実行して、請求項１から４９のいずれか１項記載の方法を実行することを特徴とする端末。
【発明の詳細な説明】
【技術分野】
【０００１】
本願は、２０１７年１１月１７日に中国特許庁に提出された中国特許出願第２０１７１１１４８９７９．７号に対する優先権を主張するものであり、その開示は、その全体が参照によって本明細書に組み込まれている。
【０００２】
本願は通信の分野に関し、例えば、基準信号のチャネル特性を設定するための方法および装置、ならびに通信デバイスに関する。
【背景技術】
【０００３】
超広帯域、すなわちミリ波通信を有する高帯域は、将来の移動通信の発展において重要な方向性となっており、世界中の学界や産業界の注目を集めている。特に、大規模な接続されたスペクトルリソースおよび物理ネットワ−クによって引き起こされる輻輳が増大することにつれて、ミリメ−トル波の利点はますます魅力的になってきている。ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）や３ＧＰＰ（３ｒｄ  Ｇｅｎｅｒａｔｉｏｎ  Ｐａｒｔｎｅｒ  Ｐｒｏｊｅｃｔ）などの多くの標準化機関が、それらの標準化作業を開始している。例えば、３ＧＰＰ規格グループでは、大きな帯域幅の著しい利点により、高帯域通信は５Ｇの新しい無線アクセス技術（Ｎｅｗ  ＲＡＴ）の重要な革新点となる。
【０００４】
しかしながら、高帯域通信は例えば、大きな伝搬経路損失、大気のより大きな吸収（例えば酸素）、および降雨フェ−ドを含む、リンク減衰の課題にも直面している。これらの課題に直面して、高帯域通信システムは高帯域の短波長および容易なアンテナ集積の利点を利用し、高いアンテナ利得を得るためにマルチアンテナアレイおよびビーム成形方式を使用し、信号伝送損失を打ち消して、リンクマ−ジンを確保し、通信ロバスト性を改善することができる。
【０００５】
アンテナ重み（プリコ−ディングおよびビームとも呼ばれる）トレ−ニング中に、高帯域において、送信端はトレ−ニングパイロットを送信し、受信端はチャネルを受信し、チャネル推定を実施する。そして高帯域受信端は、トレ−ニング送信端に対してチャネル状態情報をフィ−ドバックすることにより、トランシ−バが、利用可能なトランシ−バアンテナ重みペアから、マルチチャネルデ−タ伝送に使用できる複数のアンテナ重みペアを見つけ出し、それによって全体のスペクトル効率を改善することが容易になるようにする必要がある。
【発明の概要】
【発明が解決しようとする課題】
【０００６】
本願は、基準信号のチャネル特性を設定するための方法および装置、ならびにビーム通知オ−バヘッドを大幅に増加させる問題を改善するための通信装置を提供する。
【課題を解決するための手段】
【０００７】
本出願は、基準信号のチャネル特性を設定するための方法を提供する。この方法は第１通信ノードに対して適用され、以下を有する：第１タイプシグナリングを決定するステップであって、前記第１タイプシグナリングは第１タイプセットを搬送し、前記第１タイプセットは複数のインデックス要素を含む、ステップ；前記第１タイプシグナリングを第２通信ノードに対して送信するステップ。
【０００８】
本出願はさらに、基準信号のチャネル特性を設定するための方法を提供する。この方法は第２通信ノードに対して適用され、以下を有する：第１通信ノードによって送信された第１タイプシグナリングを受信するステップ；前記第１タイプシグナリングで搬送された第１タイプセットを取得するステップであって、前記第１タイプセットは複数のインデックス要素を含む、ステップ。
【０００９】
本出願はさらに、基準信号のチャネル特性を設定するための装置を提供する。この装置は、通信デバイスにおいて構成され、シグナリング決定ユニットとシグナリング送信ユニットを含む。
【００１０】
前記シグナリング決定ユニットは第１タイプシグナリングを決定するように構成され、前記第１タイプシグナリングは第１タイプセットを搬送し、前記第１タイプセットは複数のインデックス要素を含む。
【００１１】
前記シグナリング送信ユニットは、第１タイプシグナリングを第２通信ノードに対して送信するように構成される。
【００１２】
本出願はさらに、端末を提供する。前記端末は、メモリ、プロセッサ、前記メモリに記憶され前記プロセッサ上で実行可能なコンピュ−タプログラム、を備え、前記プロセッサは、前述の方法のいずれかを実行する。
【図面の簡単な説明】
【００１３】
本出願の実施形態における図面を以下に記載して、本出願のさらなる理解を提供する。図面は、説明と関連して本出願を説明するために使用され、本出願の範囲を限定することを意図するものではない。
【００１４】
【図１】本出願の１実施形態による、ＰＤＳＣＨおよびＰＤＣＣＨに対するビーム通知の概略図である。
【００１５】
【図２】本出願の１実施形態による非周期的ＣＳＩ−ＲＳのためのビーム通知の概略図である。
【００１６】
【図３】本発明の１実施形態による非周期的ＳＲＳのためのチャネル状態情報の構成を示す概略図である。
【００１７】
【図４】本出願の１実施形態によるビーム報告に関連付けられたビーム通知の概略図である。
【００１８】
【図５】本願の１実施形態によるＣＳＩ報告のためのポ−ト通知の概略図である。
【発明を実施するための形態】
【００１９】
当業者によるより良い理解を容易にするために、本出願は、図面と併せて以下でさらに説明される。なお、以下に示す実施の形態は、本願の範囲を限定するものではない。互いに競合していない場合、本明細書で説明する実施形態および実施形態における様々な方法は、互いに組み合わせることができる。
【００２０】
本出願の実施形態で提供される方法および装置を説明する前に、関連する概念を以下に説明する。本出願の実施形態では、基準信号は以下に列挙される信号のうちの少なくとも１つを含む。
【００２１】
（１）セル固有基準信号（ＣＲＳ）
【００２２】
（２）チャネル状態表示基準信号（ＣＳＩ−ＲＳ）
【００２３】
（３）ビーム管理用チャネル状態通知基準信号（ＣＳＩ−ＲＳ）
【００２４】
（４）チャネル状態情報干渉測定（ＣＳＩ−ＩＭ）信号
【００２５】
（５）復調基準信号（ＤＭＲＳ）
【００２６】
（６）ダウンリンク復調基準信号
【００２７】
（７）アップリンク復調基準信号
【００２８】
（８）サウンディング基準信号（ＳＲＳ）
【００２９】
（９）位相トラッキング基準信号（ＰＴ−ＲＳ）
【００３０】
（１０）移動度基準信号（ＭＲＳ）
【００３１】
（１１）ビーム固有基準信号（ＢＲＳ）
【００３２】
（１２）ビーム精密化基準信号（ＢＲＲＳ）
【００３３】
（１３）ランダムアクセスチャネル（ＲＡＣＨ）信号
【００３４】
（１４）同期信号（ＳＳ）
【００３５】
（１５）同期信号ブロック（ＳＳブロック）
【００３６】
（１６）プライマリ同期信号（ＰＳＳ）
【００３７】
（１７）セカンダリ同期信号（ＳＳＳ）
【００３８】
チャネル特性には以下が含まれる：水平伝送方位、垂直伝送方位、水平受信方位、垂直受信方位などの物理伝送チャネル特性；アンテナ素子パタ−ン、アンテナ配置、ベ−スバンド時間オフセット、周波数オフセット、位相雑音などの無線周波数およびベ−スバンド回路特性。
【００３９】
ビームはリソース（例えば、送信端における予符号化、受信端における予符号化、アンテナポ−ト、アンテナ重みベクトル、またはアンテナ重み行列）である場合がある。ビームは送信の観点からいくつかの時間−周波数−符号リソースにバインドできるので、ビームシンボルはリソースインデックスによって置き換えることができる。ビームはまた、送信（送信／受信）モ−ドであってもよい。送信モ−ドは、空間分割多重化または周波数領域／時間領域ダイバ−シティを含むことができる。
【００４０】
受信ビーム通知は、送信端が現在の基準信号、アンテナポ−トおよびユ−ザ機器（ＵＥ）によってフィ−ドバックされる基準信号（ベ−ス基準信号）、ならびにアンテナポ−トの準コロケ−ション仮定を介して、通知を実行できることを意味する。
【００４１】
受信ビームとは、、通知が必要とされない受信端におけるビームを指し、または、現在の基準信号、アンテナポ−トおよびユ−ザ機器（ＵＥ）によってフィ−ドバックされる基準信号（ベ−ス基準信号）、ならびにアンテナポ−トの擬似コロケ−ション仮定を介して、送信端によって通知される、受信端におけるビームを指す。
【００４２】
１実施形態によると、ビーム通知において、元の基準信号は、以前に測定され、参照ソ−スとして使用された基準信号を指す；タ−ゲット基準信号は、チャネル特性によって示される必要があり、関連する基準信号のチャネル特性のアップロ−ドを決定するために使用される基準信号を指す。
【００４３】
ＱＣＬに関連するパラメ−タには、ドップラー拡散、ドップラーシフト、遅延拡散、平均遅延、平均利得、空間パラメ−タ、空間関係、および空間受信パラメ−タが含まれる。
【００４４】
リンク再構成要求は、ビームリカバリ要求とも呼ばれる。
【００４５】
本出願は、基準信号のチャネル特性を設定するための方法を提供する。この方法は、ステップ１００およびステップ２００を含む。
【００４６】
ステップ１００において、基地局はＭ個のセットを含む第１タイプセットを構成し、ｉ番目のセットは、Ｎｉ個のインデックス要素を含む。
【００４７】
ステップ２００において、基地局はシグナリングをＵＥに対して送信し、シグナリングは、Ｍ個のセットを含む第１タイプセットを搬送する。
【００４８】
Ｍ個のセットのｉ番目のセットは、Ｎｉ個のインデックス要素を含む。構成情報はＵＥに対して通知される。ＭおよびNｉは１以上の整数である。単一のビームを考慮すると、第１タイプセット内の各セットは、１つのインデックス要素のみを含むことができる。第１タイプセットは、送信制御通知、候補送信構成通知、またはアップリンク送信制御通知と呼ぶことができる。
【００４９】
例えば、第１タイプセット内の各セットが１つのインデックス要素を含む場合、第１タイプセット、すなわち、候補送信構成通知状態は、表１に記載されるようになる。
【表１】
2021503836.tif 000003
【００５０】
一般的な場合、候補送信構成通知状態は、表２に列挙される通りである。各状態は、１つまたは複数の基準信号インデックスに関連付けることができる。
【表２】
2021503836.tif 000004
【００５１】
各インデックス要素は、インデックス要素番号、基準信号タイプインデックス、基準信号リソース構成インデックス、基準信号リソースセットインデックス、基準信号リソースインデックス、基準信号ポ−トインデックス、リソースブロックインデックス、リソースブロックバーストインデックス、リソースブロックバーストセットインデックス、測定限界ウィンドウインデックス、時間領域ウィンドウインデックス、レポ−ト構成インデックス、ビームグループ化インデックス、測定制約、構成制約、時間制約、トリガ情報、または基準信号グループインデックスのうちの少なくとも１つを含む。
【００５２】
基準信号は、同期信号ブロック（ＳＳブロック）、チャネル状態通知基準信号（ＣＳＩ−ＲＳ）、サウンディング基準信号（ＳＲＳ）、物理ランダムアクセスチャネル（PＲＡＣＨ）信号または復調基準信号（ＤＭＲＳ）のうち少なくとも１つを含む。
【００５３】
非周期的ＣＳＩ−ＲＳのような非周期的基準信号の場合、非周期的ＣＳＩ−ＲＳは追加のトリガ情報を用いて構成される必要があることが通知される。システムは、非周期的ＣＳＩ−ＲＳを複数回トリガすることができる。トリガ情報は、特定の非周期的ＣＳＩ−ＲＳ通知を区別するために使用される。１実施形態ではインデックス付与動作はトリガインデックス付与であり、非周期的ＣＳＩ−ＲＳ通知モ−ドはトリガインデックス付与＋ＣＲＩである。
【００５４】
実施形態では、第１タイプセットを再設定することは次の動作のうち少なくとも１つを含む：第１タイプセットに対して新しい第１タイプセットを追加するステップ；第１タイプセットから通知されたセットを削除するステップ；第１タイプセット内の通知されたセット内の通知された要素を更新するステップ；第１タイプセット内の通知されたセット内の通知された要素を削除するステップ；または第１タイプセット内の通知されたセットに対して新しいインデックス要素を追加するステップ。１実施形態によると、第１タイプセットの再構成は、無線リソース制御（ＲＲＣ）シグナリングまたはメディアアクセス制御要素（ＭＡＣ−ＣＥ）シグナリングを介して実施することができる。１実施形態では、再構成が第１タイプシグナリングだけでなく、独立したシグナリングの１つのピ−スによって実施されてもよい。
【００５５】
第１タイプセットに基づいて、第１タイプセットからセットをスクリ−ニングして、第２タイプセットを形成することができる。１実施形態では、第２タイプセットを生成する動作は以下のうちの少なくとも１つを含む：（１）第１タイプセット内のセットをアクティブ化し、第１タイプセット内のアクティブ化されたセットによって第２タイプセットを形成するステップ、（２）第１タイプセット内のセットを第２タイプセットに結合するステップ、または（３）第１タイプセット内のセット内のインデックス要素を結合して第２タイプセットを形成するステップ。
【００５６】
第２タイプシグナリングは、第２通信ノードに対して送信される。第２タイプセットは、Ｓ個のセットを含む。Ｓセットのｉ番目のセットは、Ｋｉ個のインデックス要素を含む。ＳおよびＫｉは、１以上の整数である。１実施形態では、基準信号のチャネル特性を設定するための方法は、ビットマップを使用して、第１タイプセット内のセットまたは第１タイプセット内のセット内のインデックス要素に命令し、第２タイプセットを形成することを含む。第１タイプセットの各セット、または第１タイプセットのセットの各インデックス要素は、ビットマップの各ビットに対応する。ビットマップは、要素０と１、およびバイナリ系列の要素の位置を使用して、関連付けられた情報が有効かアクティブかを示す。
【００５７】
ビット位置内の特定の値は、（Ｉ）関連するセットのアクティブ化、組み合わせ、または選択を表すか、または（ＩＩ）関連するセット内のインデックス要素のアクティブ化、組み合わせ、または選択を表す。ビットマップを介して選択されたセット内のセットまたはインデックス要素は、ビットマップの順序によってエンコ−ドされ、第２タイプセット内のセットまたは第２タイプセット内のセット内のインデックス要素を示す。
【００５８】
例えば、第１タイプセットが１６セットを含むとき、第１タイプセットにおける８セットのアクティブ化のためのシグナリングは、明示的に示されるか（例えば、１、３、５、６、７、８、１５、１６）、またはビットマップを使用することによって示される。
【００５９】
実施形態において、１６ビットの各ビットは第１タイプセットにおけるそれぞれのセットに対応し、１はアクティブ化セットを示し、０は非アクティブ化セットを示す。例えば、１６’ｂ１０１０１１１１００００００１１。したがって、これらのセットのいずれかを効果的に示し、アクティブにするために必要なのは１６ビットのみである。１実施形態では、アクティブ化する必要があるセットの数がしきい値ｋ以上であるとき、セットはビットマップを使用して示され、アクティブ化する必要があるセットの数がしきい値ｋ未満であるとき、セットは明示的に示される。ｋは１以上の正整数である。１実施形態では、下記式で表される。Ｔは、第１タイプセット内のセットの数を示す。
【数１】
2021503836.tif 000005
【００６０】
１実施形態では、明示的方法およびビットマップ法は、セット内の要素の通知、およびセット内のセットおよび要素のジョイントアクティベ−ションに対して使用するために、拡張することができる。
【００６１】
本出願の別実施形態では、第２タイプセットにおいて、第２タイプセット内のＸ１セットが明示的に示され、Ｍ−Ｘ１セットがビットマップを使用して示される。Ｘ１は１以上の整数である。１実施形態では、第２タイプセットが２つの異なる通知方法を使用して通知される。ビットマップはコストを効果的に節約できるが、効果的なシ−ケンス情報を提供できない。第１タイプセットからの選択において、第２タイプセット内の通知された位置のセットは、デフォルト構成の点で他のセットと一致しない。
【００６２】
１実施形態では、規則（最も低いインデックスを有するセット、最も高いインデックスを有するセット、または第１通信ノードによって構成されるかまたはあらかじめ指定される特定のインデックスを有するセットのうちの少なくとも１つを含む）にしたがって、第２タイプセット内の合意されたセットは、関連する物理アップリンク制御チャネル（ＰＵＣＣＨ）を通知するために、または関連するＰＵＣＣＨの復調基準信号のチャネル特性仮定を通知するために、使用される。
【００６３】
例えば、第１タイプセットが１６のセットを含むとき、第１タイプセットにおける８つのセットのアクティブ化のためのシグナリングは、明示的シグナリングの１つの断片に１つのビットマップを加えたものによって通知されることがある。例えば、１、３、５、６、７、８、１５、１６がアクティブ化され、６が２番目のタイプセットの最初のセットとして機能する場合、シグナリング形式は｛ｅｘｐｌｉｃｉｔ  ｉｎｄｉｃａｔｉｏｎ、ｂｉｔｍａｐ｝＝｛６、１６’ｂ１０１０１０１１００００００１１｝である。１実施形態では、ビットマップが明示的に示されるセットを示さない場合、シグナリングフォ−マットは｛ｅｘｐｌｉｃｉｔ  ｉｎｄｉｃａｔｉｏｎ、ｂｉｔｍａｐ（明示通知ビットをスキップする）｝＝｛６，１５’ｂ１０１０１１１００００００１１｝である。１実施形態では、取得される第２タイプセットは以下の通りである。
【表３】
2021503836.tif 000006
【００６４】
以下の実施形態は、ＤＬ制御およびデ−タチャネル、ならびにＵＬ制御およびデ−タチャネルのシナリオに関連して説明される。
【００６５】
第１タイプセットまたは第２タイプセットから形成される任意選択のセットは、第３タイプシグナリングによって通知される。実施形態において、第３タイプシグナリングは、ＭＡＣ−ＣＥシグナリングまたはダウンリンク制御情報（ＤＣＩ）シグナリングである。１実施形態では、第３タイプシグナリングは、第１タイプセットまたは第２タイプセット内のセットのうちの少なくとも１つを示すことにより、以下のうち少なくとも１つを示す：（ａ）関連するダウンリンク復調基準信号のチャネル特性仮定、（ｂ）関連するアップリンク復調基準信号または関連するアップリンク復調基準信号のチャネル特性仮定、（ｃ）関連する物理アップリンク制御チャネル（ＰＵＣＣＨ）または関連するＰＵＣＣＨの関連する層、（ｄ）関連する物理アップリンク共有チャネル（ＰＵＳＣＨ）または関連するＰＵＳＣＨの関連する層、（ｅ）関連するチャネル状態通知基準信号（ＣＳＩ−ＲＳ）のチャネル特性仮定、（ｆ）関連するサウンディング基準信号（ＳＲＳ）のチャネル特性仮定、（ｇ）関連する干渉測定リソース（ＩＭＲ）基準信号のチャネル特性仮定。
【００６６】
第３タイプシグナリングは、第２通信ノードに対して送信される。
【００６７】
図１は、本願の１実施形態によるビーム通知方法の概略図である。この方法は、物理ダウンリンク共有チャネル（ＰＤＳＣＨ）および物理ダウンリンク制御チャネル（ＰＤＣＣＨ）のためのビーム通知のシナリオに適用可能である。図１は、以下の項目を含む：
【００６８】
タ−ゲットＲＳ／チャンネル；
【００６９】
ＲＲＣシグナリング；
【００７０】
ＭＡＣ−ＣＥシグナリング；
【００７１】
ＤＣＩシグナリング；
【００７２】
Ｍ個の候補ＴＣＩ状態（その各々は、非周期的（トリガされた情報またはセットＩＤによって識別される）、半永続的および周期的ＣＳＩ−ＲＳおよびＳＳＢ、ならびに非周期的（トリガされた情報またはセットＩＤによって識別される）、半永続的および周期的ＳＲＳに関連する；
【００７３】
少なくとも空間ＱＣＬ通知のための基準ＲＳプ−ル；
【００７４】
ＰＤＣＣＨ  ＤＭＲＳ  ＱＣＬの仮定について示されている１状態；
【００７５】
Ｍ候補ＴＣＩ状態に対するビットマップシグナリングの使用；
【００７６】
２Ｎａ個状態ＴＣＩ；
【００７７】
２Ｎａ個ＴＣＩ状態のＮａビットＤＣＩフィ−ルドへのマッピング；
【００７８】
ＰＤＳＣＨビーム通知のための２Ｎａ個ＴＣＩ状態のうち１つの通知。
【００７９】
まず、基地局はＭ個の第１タイプセットを設定する。すなわち、Ｍ個の候補送信構成通知タグ制御情報（ＴＣＩ）状態のセットを設定する。各セットは、非周期的、半永続的および周期的ＣＳＩ‐ＲＳおよびＳＳＢと関連している。すなわち、各セットは、非周期的、半持続的、および周期的ＣＳＩ−ＲＳまたはＳＳＢのうちの少なくとも１つを管理する。Ｍ個の第１タイプセットは、第１タイプシグナリングで搬送される。第１タイプシグナリングは、ＲＲＣを介してＵＥに対して送信される。候補ＴＣＩ状態のセットは、半永続的でないかまたは周期的ではないＳＲＳリソースに関連付けることができる。
【００８０】
ＰＤＣＣＨについては、ＭＡＣ−ＣＥを通じて通知を実施できる。ＰＤＳＣＨの場合、Ｍ＞２Ｎａのとき、ＭＡＣ−ＣＥシグナリングが有効になり、Ｍ個のＴＣＩステ−トから２ＮａＴＣＩステ−トが選択される。２ＮａおよびＮａビットは、ＤＣＩ通知領域、すなわち、第２タイプシグナリングに関連付けられる。
【００８１】
最後に、ＰＤＳＣＨの場合、第３タイプシグナリングの送信が完了するように、ＤＣＩを介してビーム通知が実行される。
【００８２】
ＰＤＣＣＨおよびＰＤＳＣＨを共同で符号化するための方法を提示する。ＭＡＣ−ＣＥシグナリングが関与し、共有可能であるので、アクティブ化された第１候補ＴＣＩ状態は、ＰＤＣＣＨの通知ビームとして使用できる。
【００８３】
１実施形態では、ＰＤＳＣＨおよびＰＤＣＣＨについてのビーム通知が、関連するＤＭＲＳ信号のＱＣＬ通知によって実施される。すなわち、基準ＲＳインデックス情報は、ＴＣＩで搬送され、最終通知フェ−ズにおいて、対応するＰＤＳＣＨのＤＭＲＳ信号に関連付けられる。
【００８４】
図２は、本出願の１実施形態による非周期的ＣＳＩ−ＲＳについてのビーム通知の概略図である。ＰＤＣＣＨおよびＰＤＳＣＨと同じ候補ＴＣＩ状態のセットが共有される。図２は、以下の項目を含む：
【００８５】
タ−ゲットＲＳ／チャンネル；
【００８６】
ＲＲＣシグナリング；
【００８７】
ＭＡＣ−ＣＥシグナリング；
【００８８】
ＤＣＩシグナリング；
【００８９】
非周期的ＣＳＩ−ＲＳ；
【００９０】
非周期的ＣＳＩ−ＲＳリソースの設定；
【００９１】
Ｌ個の非周期的ＣＳＩ−ＲＳリソースセットの設定；
【００９２】
Ｍ個の候補ＴＣＩ状態（その各々は、非周期的（トリガされた情報またはセットＩＤによって識別される）、半永続的および周期的ＣＳＩ−ＲＳおよびＳＳＢ、ならびに非周期的（トリガされた情報またはセットＩＤによって識別される）、半永続的および周期的ＳＲＳに関連する；
【００９３】
非周期的ＣＳＩ−ＲＳリソースセットを表す（２Ｎｂ−１）個のステ−トのアクティブ化。それぞれＫｉ＞１個のＣＳＩ−ＲＳリソースが含まれる；
【００９４】
Ｋｉ個のリソースそれぞれをＭ個のＴＣＩ候補ステ−トの１つに関連付ける。（２Nb−１）個のステ−トそれぞれは、Ｋｉ個リソースの大きさを持つリソースセットを含む；
【００９５】
（２Nb−１）個の非周期的ＣＳＩ−ＲＳリソースセットのうちの１つをトリガする。
【００９６】
ＲＲＣシグナリングを介して構成された候補ＴＣＩ状態に加えて、Ｌ個の非周期的ＣＳＩ−ＲＳリソースセットがＲＲＣシグナリングを介して構成される。Ｌが２Ｎｂ以上の場合、（２Ｎｂ−１） ステ−トがアクティブになる。各ステ−トは、対応するＣＳＩ−ＲＳリソースセットに関連付けられる。各リソースセットには、Ｋｉ個のＣＳＩ-ＲＳリソースが含まれている。１実施形態では、ビットマップメソッドを使用して、Ｌ個の非周期的ＣＳＩ−ＲＳリソースセットから（２Ｎｂ−１）個の非周期的ＣＳＩ−ＲＳリソースセットをアクティブ化することができる。１実施形態では、ビットマップ内の非ゼロ要素の数が、Ｎｂのサイズを暗黙的に示すことができる。次に、ＭＡＣ−ＣＥシグナルを使用して、候補のＴＣＩ状態を非周期的ＣＳＩ−ＲＳリソースに関連付け、最後の（２Ｎｂ−１）非周期的ＣＳＩ−ＲＳリソースセットのＤＣＩトリガリングを可能にする。
【００９７】
さらに、第１タイプセット内または第２タイプセット内の少なくとも１つのセットおよびアップリンク基準信号インデックスを結合符号化して、結合符号化における１つの要素を示し、またはアップリンク基準信号インデックスを示す場合、これは、（ａ）関連するアップリンク復調基準信号または関連するアップリンク復調基準信号のチャネル特性仮定、または（ｂ）関連するサウンディング基準信号（ＳＲＳ）のチャネル特性仮定、のうちの少なくとも１つの通知に適用される。
【００９８】
次に、先行する情報を搬送する第４タイプシグナリングが、第２通信ノードに対して送信される。
【００９９】
１実施形態では、第４タイプシグナリングのチャネル特性仮定の制約条件は、第３タイプシグナリングのチャネル特性仮定の制約条件よりも強い。第４タイプシグナリングのチャネル特性仮定は、同一の空間フィルタに基づくか、またはパラメ−タセットドップラー拡散、ドップラーシフト、遅延拡散、平均遅延、平均利得、および空間パラメ−タの１つ、またはパラメ−タセットドップラー拡散、ドップラーシフト、遅延拡散、平均遅延、および空間パラメ−タの１つに基づく。第３タイプシグナリングは、空間パラメ−タまたは空間関係のみに基づく。
【０１００】
１実施形態によると、アップリンク基準信号は、サウンディング基準信号（ＳＲＳ）、物理ランダムアクセスチャネル（PＲＡＣＨ）信号またはアップリンク復調基準信号（ＵＬ  ＤＭＲＳ）のうちの１つを含む。
【０１０１】
１実施形態によると、第３タイプシグナリングは例えば、アップリンク基準信号ビームとダウンリンク基準信号ビームとの間の十分な相関のみを規定し；第４タイプシグナリングは、一貫した空間フィルタを含む元のアップリンク基準信号の伝達モ−ドとタ−ゲットアップリンク基準信号が一致しなければならないことを規定する。
【０１０２】
従来技術と比較して、本出願は、基準信号のチャネル特性を設定するための方法を提供する。この方法は以下を含む：第１タイプシグナリングを決定するステップであって、第１タイプシグナリングが第１タイプセットを搬送し、第１タイプセットが複数のインデックス要素を含むステップ；第１タイプシグナリングを第２通信ノードに送信するステップ。本出願のこの解決策によって、ＱＣＬ仮定または強制的な制約通知方法を使用して、アップリンク基準信号がビームトレ−ニングまたはチャネル状態情報取得に使用されることを差分的に通知し、これにより、ユ−ザ移動およびチャネル変更シナリオに適応し、ビーム通知オ−バヘッドを低減し、システム柔軟性を向上させる効果を達成する。
【０１０３】
以下の実施形態は、非周期的ＳＲＳのシナリオに関連して説明される。
【０１０４】
関連するＳＲＳ（すなわち、タ−ゲット基準信号）が非周期的ＳＲＳである場合、Ｅ≧２Ｎｄであれば、（２Ｎｄ−１）ＳＲＳリソースセットがＥ個のＳＲＳリソースセットから選択され、非周期的ＳＲＳリソーストリガ−のために使用されるようにダウンリンク制御情報（ＤＣＩ）通知フィ−ルドに関連づけられる；Ｅ＜２Ｎｄであれば、Ｅ個のＳＲＳリソースセットは非周期的ＳＲＳリソーストリガ−のために使用されるようにＤＣＩ通知フィ−ルドに関連づけられる。非周期的ＳＲＳはＥ個のＳＲＳリソースセットで構成され、ｉ番目のＳＲＳリソースセットにはＷｉ個のＳＲＳリソースが含まれる。Ｅ、Ｎｄ、Ｗｉは１以上の正整数である。
【０１０５】
１実施形態では、（２Ｎｄ−１）ＳＲＳリソースセットがビットマップを使用してＥ個のＳＲＳリソースセットから選択される。
【０１０６】
従来技術と比較して、本出願は、基準信号のチャネル特性を設定するための方法を提供する。この方法は以下を含む：第１タイプシグナリングを決定するステップであって、第１タイプシグナリングは第１タイプセットを搬送し、第１タイプセットは複数のインデックス要素を含む、ステップ；第１タイプシグナリングを第２通信ノードに対して送信するステップ。本出願のこの解決策によって、ＱＣＬ仮定または強制的な制約通知方法を使用して、アップリンク基準信号がビームトレ−ニングまたはチャネル状態情報取得に使用されることを差分的に通知し、これにより、ユ−ザ移動およびチャネル変更シナリオに適応し、ビーム通知オ−バヘッドを低減し、システム柔軟性を向上させる効果を達成する。
【０１０７】
図３は、本発明の１実施形態による非周期的ＳＲＳのためのチャネル状態情報の構成を示す概略図である。図３は、以下の項目を含む：
【０１０８】
タ−ゲットＲＳ／チャンネル；
【０１０９】
ＲＲＣシグナリング；
【０１１０】
ＭＡＣ−ＣＥシグナリング；
【０１１１】
ＤＣＩシグナリング；
【０１１２】
非周期的ＳＲＳリソースの設定；
【０１１３】
Ｌｄ個の非周期ＳＲＳリソースセットの設定；
【０１１４】
Ｋｉ＞１個のＳＲＳリソースを含む非周期的ＳＲＳリソースセットを表す（２Ｎｄ−１）個のステ−トをアクティブ化；
【０１１５】
基準ＲＳをタ−ゲットＲＳに関連付ける；
【０１１６】
Ｋｉ個のリソースそれぞれをＭ個の候補ＴＣＩまたはＭＵＬ候補ＵＬ−ＴＣＩ状態と関連付け、（２Ｎｂ−１）個の状態のそれぞれは、Ｋｉ個のリソースの大きさを有するリソースセットを含む；
【０１１７】
（２Ｎｂ−１）個の非周期的ＳＲＳリソースセットのうちの１つをトリガする。
【０１１８】
最初に、Ｌｄ個の非周期ＳＲＳリソースセットがＲＲＣ信号を介して構成される。次に、（２Ｎｂ−１）個のステ−トが、ＭＡＣ−ＣＥ信号によってアクティブになる。それぞれのＳＲＳリソースセットには、Ｋ１個のＳＲＳリソースが含まれる。次に、候補ＴＣＩ状態またはＵＬ−ＴＣＩ状態を介して、ＳＲＳとの関連付けが実行される。ここで、２つの関連付け方法を実行することができる。第１関連付け方法では、ＱＣＬや空間アソシエ−ション方式で規制を実施し、アップリンク送信ビームのみを大まかに制約する。第２関連付け方法では、ＳＲＩまたはＣＲＩを介して制約が実行され、基準信号または完全なチャネル特性要件を示すフィルタに完全に従うためにタ−ゲット基準信号が必要とされる。最後に、非周期的ＳＲＳリソースが、ＤＣＩシグナリングを介してトリガされ、通知される。
【０１１９】
１実施形態ではＬｄがＮｄ以上の場合のみ、ＭＡＣ−ＣＥシグナリングが選択のために必要とされる；ＬｄがＮｄ未満の場合はシグナリングを省略してもよい。しかしながら、目標基準信号はＭＡＣ−ＣＥシグナリングを通じてソ−ス基準信号（すなわち、候補ＴＣＩ）に関連付けられる場合がある。
【０１２０】
候ＵＬ−ＴＣＩ状態は、第３タイプセットと呼ぶことができる。第３タイプセットは、Ｔ個のセットを含む。Ｔセットのｉ番目のセットは、Ｒｉアップリンク基準信号インデックス要素を含む。ＴとＲｉは１ 以上の整数である。単一のビームを考慮すると、第３タイプセット内の各セットは、１つのインデックス要素を含むことができる。
【０１２１】
要約すると、ＣＳＩ−ＲＳ、ＳＲＳまたはＩＭＲ基準信号は非周期的基準信号であり、基準信号リソースまたは基準信号リソースセットの数が２Ｇ以上である場合、（２Ｇ−１）リソースまたはリソースセットはＹ個の基準信号リソースまたは基準信号リソースプ−ルから選択され、その後、選択された（２Ｇ−１）リソースまたはリソースセットの各セットは、第３タイプシグナリングによって通知される第２タイプセット、または第３タイプシグナリングによって通知される第１タイプセットに関連付けられる。
【０１２２】
以下の実施形態は、１つの部分とビーム報告との間の境界関係を解決する方法のシナリオに関連して説明される。
【０１２３】
第１タイプセットおよび第２タイプセットまたはセット内の要素は、ビームレポ−トに関連付けることができる。セット内の通知されたセットまたは要素は、ビーム報告結果に従って更新される。ビーム報告を受信した後、第１通信ノードは、第２通信ノードに対して肯定応答シグナリングを送信する。肯定応答シグナリングは、更新有効時間を示すために使用される。更新有効時間は、肯定応答シグナリングが送信された後のＸスロットである。Ｘは１以上の整数である。
【０１２４】
第１タイプセット内の１つのセットもしくは第１タイプセット内の１つのセットのインデックス要素、または、第２タイプセット内の１つのセットもしくは第２タイプセット内の１つのセットのインデックス要素に関連するダウンリンク基準信号のチャネル特性仮定が更新される；あるいは、第１タイプセット内の１つのセットもしくは第１タイプセット内の１つのセットのインデックス要素、または、第２タイプセット内の１つのセットもしくは第２タイプセット内の１つのセットのインデックス要素に関連するダウンリンク基準信号がアクティブにされる。ここで、ダウンリンク基準信号は、ＣＳＩ−ＲＳ、時間−周波数トラッキングのためのＣＳＩ−ＲＳ、またはＴＲＳのうちの少なくとも１つを含む。
【０１２５】
図４は、本出願の１実施形態によるビーム報告に関連付けられたビーム通知の概略図である。まず、基地局はＵＥに対してビームレポ−ト構成Ｔを設定し、ビームレポ−ト構成ＴをＴＣＩ状態ａに関連付ける。１実施形態によると、ビームレポ−トの構成は、測定構成を通して実装されてもよい。ＵＥがビーム報告を実行した後、基地局は、ＵＥに対して肯定応答シグナリングを送信する必要がある。肯定応答シグナリングが有効になった後にのみ、ＴＣＩ状態ａは、最良のＲＳＲＰのビームなどのビームレポ−ト内の結果に関連付けることができる。ＵＥ応答のコストを考慮して、アソシエ−ションはＸスロット、例えば４スロットの後にのみ有効になる。Ｘの値は、ＵＥの能力に従って決定されてもよい。Ｘスロットの後、基地局がさらにＴＣＩ−ａを示す場合、報告に関連する基準信号は、ビーム通知のための元の基準信号となる。
【０１２６】
１実施形態では、ＵＥ報告が失敗する可能性があるので、基地局が肯定応答シグナリングを送信しない場合、２つの側の誤判定が容易に発生する。例えばＵＥは、情報が基地局に対して通知されたが、基地局は情報を受信していないと判断する。したがって、基地局の肯定応答シグナリング、すなわち応答情報はＴＣＩ状態更新（すなわち、関連する元の基準信号）の安定性および信頼性を大幅に改善する。１実施形態では、肯定応答シグナリングのＤＣＩが搬送され、ＰＤＳＣＨがスケジュ−ルされ、肯定応答シグナリングのＤＣＩがＵＥによって望まれるように搬送されず、またはＰＤＳＣＨがスケジュ−ルされず、または関連付けられない。
【０１２７】
以下の実施形態は、ポ−トインデックス通知方法のシナリオに関連して説明される。
【０１２８】
図５は、本願の１実施形態によるＣＳＩ報告のためのポ−ト通知の概略図である。基地局は、ポ−トインデックスのグループの通知に従ってＣＳＩを測定し報告するように、端末に対して指示する。ＵＥがポ−トインデックスのグループ通知を理解していることは、層間ネスティングの特性などの特性要件を満たす。例えば、そのような規則が定義される：ＵＥによってランクｉを測定するためのポ−トグループは、ランクｊを測定するためのポ−トグループのサブセットである。図５を参照する。このように、シグナルを通して報告する必要があるのは、ランク８のポ−トシ−クエンスのみである。
【０１２９】
１実施形態では第１通信ノード（基地局）は、ポ−トインデックスのグループの通知に従ってＣＳＩを報告するように第２通信ノード（ＵＥ）に対して指示し、第２通信ノードがポ−トインデックスのグループの通知を理解していることは特性要件を満たす。１実施形態では、特性要件は層間ネスティングの特性を含む。１実施形態では層間ネスティングの特性は以下の通りである：ランクｉを測定するためのポ−トグループはランクｊを測定するためのポ−トグループのサブセットであり、ｉ＜ｊであり、ｉとｊは１以上の整数である。
【０１３０】
要約すると、本出願のこの実施形態で提供される解決策に基づいて、多層ビーム通知ア−キテクチャおよびビットマップを使用する方法が確立される。インデックスセットが作成され、インデックスセットの一部がアクティブ化され（特定のインデックスセットが示される）、その結果、ビーム通知が、ダウンリンクデ−タチャネル、ダウンリンク制御チャネル、ダウンリンク基準信号、アップリンク制御チャネル、アップリンクデ−タチャネル、およびアップリンク基準信号に対して実施される。アップリンク基準信号の通知に関して、異なる制約強度を有する２つの通知方法、すなわち、ＱＣＬ仮定または強制制約通知方法が提供され、アップリンク基準信号がビームトレ−ニングまたはチャネル状態情報取得のために使用されることを差分的に通知する。
【０１３１】
本出願のこの実施形態は前述の実施形態と概念的に類似しているか、または概念的に同じであり、基準信号のチャネル特性を設定するための方法をさらに提供する。この方法は第２通信ノードに対して適用され、第２通信ノードは第１通信ノードによって送信された第１タイプシグナリングを受信し、第１タイプシグナリングで搬送される第１タイプセットを取得することを含み、第１タイプセットは、複数のインデックス要素を含む。
【０１３２】
各インデックス要素は、以下のうちの少なくとも１つを含む：インデックス要素番号、基準信号タイプインデックス、基準信号リソース構成インデックス、基準信号リソースセットインデックス、基準信号リソースインデックス、基準信号ポ−トインデックス、リソースブロックインデックス、リソースブロックバーストインデックス、リソースブロックバーストセットインデックス、測定限界ウィンドウインデックス、時間領域ウィンドウインデックス、レポ−ト構成インデックス、ビームグループ化インデックス、測定制約、構成制約、時間制約、トリガ情報、基準信号グループインデックス。
【０１３３】
基準信号は、以下のうちの少なくとも１つを含む：同期信号ブロック（ＳＳブロック）、チャネル状態表示基準信号（ＣＳＩ−ＲＳ）、発音基準信号（ＳＲＳ）、物理ランダムアクセスチャネル（PＲＡＣＨ）信号、復調基準信号（ＤＭＲＳ）。
【０１３４】
第１タイプシグナリングで搬送される第１タイプセットは、Ｍ個のセットを含む。第１タイプセットのｉ番目のセットは、Ｎｉ個のインデックス要素を含む。ＭおよびＮｉは、１以上の整数である。１実施形態では、第１タイプセット内の各セットが１つのインデックス要素を含む。
【０１３５】
第１タイプセットは、送信構成通知状態、候補送信構成通知状態、またはアップリンク送信構成通知状態である。
【０１３６】
本方法はさらに、第１タイプセットの再構成を通知するために第１通信ノードによって送信された関連再構成情報を第２通信ノードが受信することを含む；第２通信ノードは、第１タイプセットの再構成を通知する受信された関連再構成情報に従って、第１タイプセットを再設定する。第１タイプセットの再構成には、次の操作の少なくとも１つが含まれる：第１タイプセットに新しい第１タイプセットを追加する；第１タイプセットから通知されたセットを削除する；第１タイプセットで通知されたセット内の通知された要素を更新する；第１タイプセットで通知されたセット内の通知された要素を削除する；または第１タイプセット内の通知されたセットに新しいインデックス要素を追加する。
【０１３７】
本出願のこの実施形態では、本方法はさらに以下を含む：第２通信ノードが第１通信ノードによって送信された第２タイプシグナリングを受信し、第２タイプセットの通知情報は、第２通信ノードのための第１タイプセットに基づいて第２タイプセットを通知するために第２タイプシグナリングで搬送され、第２通信ノードは受信された第２タイプシグナリングで搬送された第２タイプセットの通知情報に従って、第１タイプセットに基づいて第２タイプセットを取得する。
【０１３８】
受信された第２タイプシグナリングで搬送される第２タイプセットの通知情報に従って第１タイプセットに基づいて第２タイプセットを取得する動作は、以下のうち少なくとも１つを含む：第１タイプセット内のセットの一部をアクティブ化し、第１タイプセット内のアクティブ化されたセットによって第２タイプセットを形成する；第１タイプセット内のセットの一部またはすべてを第２タイプセットに結合する；第１タイプセット内のセット内のインデックス要素を第２タイプセットに結合する。
【０１３９】
取得された第２タイプセットは、Ｓ個のセットを含む。第２タイプセットのｉ番目のセットは、Ｋｉ個のインデックス要素を含む。ＳおよびＫｉは、１以上の整数である。
【０１４０】
本願の本実施形態では、本方法はさらに以下を含む：第２通信ノードは第１通信ノードによって送信されたビットマップを受信し、第２通信ノードは受信されたビットマップで搬送された通知情報に従って第２タイプセットを取得する。ビットマップで搬送される通知情報は、第１タイプセットの中のセットまたは要素を通知して、第２タイプセットを形成するために使用される。
【０１４１】
第１タイプセットの各セット、または第１タイプセットのセットの各インデックス要素は、ビットマップの各ビットに対応する。ビット位置内の特定の値は、ビット位置に関連するセットのアクティブ化、組み合わせ、または選択を表すか、またはビット位置に関連するセット内のインデックス要素のアクティブ化、組み合わせ、または選択を示す。
【０１４２】
ビットマップを介して選択されたセット内のセットまたはエレメントは、ビットマップ内のビットの順序でエンコ−ドされ、第２タイプセット内のセットまたは第２タイプセット内のエレメントを示す。
【０１４３】
第２タイプセットでは、第２タイプセットのＸ１セットが明示的に示され、第２タイプセットのＬ−Ｘ１セットはビットマップを使用して示される。
【０１４４】
Ｘ１とＬは１以上の整数であり、Ｌは第２タイプシグナリングで搬送される第２タイプセット内のセットの数を示し、Ｘ１はＬ未満の整数を示す。
【０１４５】
本出願のこの実施形態では、本方法は以下を含む：第２通信ノードが第１通信ノードによって送信された第３タイプシグナリングを受信し、第１タイプセットまたは第２タイプセットの範囲内のセットを指定するように第２通信ノードへ指示するように第３タイプのセットの通知情報が第３タイプシグナリングで搬送される；第３タイプのセットの通知情報に従って、第１タイプセットまたは第２タイプセットの範囲内の通知されたセットが以下の項目のうち少なくとも１つを通知していることを、第２通信ノードが決定する。項目１：関連するダウンリンク復調基準信号のチャネル特性仮定、項目２：関連するアップリンク復調基準信号または関連するアップリンク復調基準信号のチャネル特性仮定、項目３：関連する物理アップリンク制御チャネル（ＰＵＣＣＨ）または関連するＰＵＣＣＨの関連する層、項目４：関連する物理アップリンク共有チャネル（ＰＵＳＣＨ）または関連するＰＵＳＣＨの関連する層、項目５：関連チャネル状態通知基準信号（ＣＳＩ−ＲＳ）のチャネル特性仮定、項目６：関連サウンディング基準信号（ＳＲＳ）のチャネル特性仮定、項目７：関連干渉測定リソース（ＩＭＲ）のチャネル特性仮定。
【０１４６】
本出願のこの実施形態では、本方法はさらに、第２通信ノードが第１通信ノードによって送信された第３タイプセットを受信することを含む。第３タイプセットは、Ｔ個のセットを含む。Ｔセットのｉ番目のセットは、Ｒｉアップリンク基準信号インデックス要素を含む。ＴとＲｉは１以上の整数である。
【０１４７】
本出願のこの実施形態では、本方法はさらに以下を含む：第２通信ノードが第１通信ノードによって送信された第４タイプシグナリングを受信し、第１タイプセット、第２タイプセット、または第３タイプのセットの範囲内のセットを指定するように第２通信ノードへ命令するように第４タイプセットの通知情報が第４タイプシグナリング内で搬送される；第２通信ノードが第４タイプセットの通知情報に従って、第１タイプセット、第２タイプセット、または第３タイプセットの範囲内の通知されたセットが以下の項目のうちの少なくとも１つを示すことを決定する：関連するアップリンク復調基準信号、関連するアップリンク復調基準信号のチャネル特性仮定、関連するサウンディング基準信号（ＳＲＳ）、ＳＲＳのチャネル特性仮定。
【０１４８】
第４タイプシグナリングのチャネル特性仮定は、同じアンテナポ−ト仮定に基づいて、またはパラメ−タセット（ａ）ドップラー拡散、ドップラーシフト、遅延拡散、平均遅延、平均利得、および空間パラメ−タ、またはパラメ−タセット（ｂ）ドップラー拡散、ドップラーシフト、遅延拡散、平均遅延、および空間パラメ−タのうちの１つに基づいて、同じ空間フィルタに基づく。
【０１４９】
アップリンク基準信号は、サウンディング基準信号（ＳＲＳ）、物理ランダムアクセスチャネル（PＲＡＣＨ）信号またはアップリンク復調基準信号（ＵＬ  ＤＭＲＳ）の１つを含む。
【０１５０】
ＵＬ  ＤＭＲＳは、物理アップリンク制御チャネル（ＰＵＣＣＨ）または物理アップリンク共有チャネル（ＰＵＳＣＨ）に関連づけられる。
【０１５１】
第４タイプシグナリングのチャネル特性仮定の制約条件は、第３タイプシグナリングのチャネル特性仮定の制約条件よりも強い。
【０１５２】
本方法はさらに、第２通信ノードが第１通信ノードによって送信された第５タイプのシグナリングを受信することを含み、第５タイプシグナリングは、（ｉ）第１タイプセット内の１つのセット、または（ｉｉ）第２タイプセット内の１つのセットのうち少なくともいずれかを第２通信ノードのビームレポ−トに関連付けることを命令するために使用される；ビームレポ−ト結果に従って、セット内の示されたセットまたはインデックス要素を更新する。
【０１５３】
第２通信ノードは、（ｉ）第１タイプセット内の１つのセット、または（ｉｉ）第２タイプセット内の１つのセット、のうちの少なくとも１つを、第５のタイプシグナリングに従って第２通信ノードのビームレポ−トに関連付け、ビームレポ−ト結果に従ってセット内の示されたセットまたはインデックス要素を更新する。
【０１５４】
この方法はさらに、第２通信ノードがビーム報告を第１通信ノードに対して送信し、第２通信ノードがビーム報告に関する肯定応答シグナリングを受信することをさらに含む。肯定応答シグナリングは、更新有効時間を示すために第１通信ノードによって送信される。
【０１５５】
本願のこの実施形態では、更新有効時間は、肯定応答シグナリングが送信された後のＸスロットである。Ｘは１以上の整数である。
【０１５６】
本方法はさらに以下を含む：第２通信ノードが第１通信ノードにリンク再構成要求シグナリングを送信する；第２通信ノードが第１通信ノードによって送信されたリンク再構成要求シグナリングの肯定応答を受信する；肯定応答応答を受信した後、第２通信ノードは以下のうち少なくとも１つを実施する：第１タイプセット内の合意されたセットまたは第２タイプセット内の合意されたセットを、第１通信ノードによって送信されたリンク再構成要求シグナリングによって示されたダウンリンク基準信号に対応する基準信号インデックスに更新するステップ；受信された物理アップリンク共有チャネル（ＰＤＳＣＨ）のダウンリンク基準信号および復調基準信号（ＤＭＲＳ）がチャネル特性仮定を満たすと判定するステップであって、ダウンリンク基準信号はリンク再構成要求シグナリングによって示されたダウンリンク基準信号である、ステップ；送信されるアップリンク基準信号および物理アップリンク制御チャネル（ＰＵＣＣＨ）がチャネル特性仮定を満たすと判定するステップであって、アップリンク基準信号が第１通信ノードによって送信されたリンク再構成要求シグナリングに関連付けられるステップ；送信されるＰＵＣＣＨおよび要求シグナリングによって使用されるＰＵＣＣＨは同じチャネル特性仮定を有すると判定するステップであって、要求シグナリングによって使用されるＰＵＣＣＨは第１通信ノードによって送信されるリンク再構成要求シグナリングによって使用されるＰＵＣＣＨである、ステップ。
【０１５７】
リンク再構成要求シグナリングは、ビーム回復要求シグナリングとも呼ばれる。
【０１５８】
本願のこの実施形態では、第１通信ノードは基地局であり、第２通信ノードはＵＥである。
【０１５９】
従来技術と比較して、本出願は、基準信号のチャネル特性を設定するための方法を提供する。本方法は以下を含む：第１タイプシグナリングを決定するステップであって、第１タイプシグナリングは第１タイプセットを搬送し、第１タイプセットは複数のインデックス要素を含む、ステップ；第１タイプシグナリングを第２通信ノードに送信するステップ。本出願のこの解決策によって、ＱＣＬ仮定または強制的な制約通知方法を使用して、アップリンク基準信号がビームトレ−ニングまたはチャネル状態情報取得に使用されることを差分的に通知し、これにより、ユ−ザ移動およびチャネル変更シナリオに適応し、ビーム通知オ−バヘッドを低減し、システム柔軟性を向上させる効果を達成する。
【０１６０】
本出願のこの実施形態は前述の実施形態と概念的に類似しているか、または概念的に同じであり、基準信号チャネル特性を設定するための装置をさらに提供する。この装置は、通信装置、例えば基地局において構成され、シグナリング決定ユニットおよびシグナリング送信ユニットを含む。
【０１６１】
シグナリング決定ユニットは第１タイプシグナリングを決定するように構成され、第１タイプシグナリングは第１タイプセットを搬送し、第１タイプセットは複数のインデックス要素を含む。
【０１６２】
シグナリング送信ユニットは、第１タイプシグナリングを第２通信ノードに送信するように構成される。
【０１６３】
本願のこの実施形態では、各インデックス要素は以下のうちの少なくとも１つを含む：インデックス要素番号、基準信号タイプインデックス、基準信号リソース構成インデックス、基準信号リソースセットインデックス、基準信号リソースインデックス、基準信号ポ−トインデックス、リソースブロックインデックス、リソースブロックバーストインデックス、リソースブロックバーストセットインデックス、測定限界ウィンドウインデックス、時間領域ウィンドウインデックス、レポ−ト構成インデックス、ビームグループ化インデックス、測定制約、構成制約、時間制約、トリガ情報、基準信号グループインデックス。
【０１６４】
本願のこの実施形態では、基準信号は、同期信号ブロック（ＳＳブロック）、チャネル状態表示基準信号（ＣＳＩ−ＲＳ）、発音基準信号（ＳＲＳ）、物理ランダムアクセスチャネル（PＲＡＣＨ）信号または復調基準信号（ＤＭＲＳ）のうちの少なくとも１つを含む。
【０１６５】
本願のこの実施形態では、第１タイプシグナリングで搬送される第１タイプセットはＭ個のセットを含む。第１タイプセットのｉ番目のセットは、Ｎｉ個のインデックス要素を含む。ＭおよびＮｉは、１以上の整数である。
【０１６６】
本願のこの実施形態では、第１タイプセット内の各セットが１つのインデックス要素を含む。
【０１６７】
本願のこの実施形態では、第１タイプセットは、送信構成通知状態、候補送信構成通知状態、またはアップリンク送信構成通知状態である。
【０１６８】
本出願のこの実施形態では、シグナリング決定ユニットはさらに、第１タイプシグナリングが第２通信ノードに対して送信された後に、第１タイプセットを再構成し；第１タイプシグナリングで搬送された再構成された第１タイプセットを第２通信ノードに送信し；または再構成された第１タイプセットに関連する再構成情報を第２通信ノードに送信する；ように構成される。第１タイプセットの再構成には、次の操作の少なくとも１つが含まれる：第１タイプセットに新しい第１タイプセットを追加する；第１タイプセットから通知されたセットを削除する；第１タイプセットで通知されたセット内の通知された要素を更新する；第１タイプセットで通知されたセット内の通知された要素を削除する；第１タイプセット内の通知されたセットに新しいインデックス要素を追加する。
【０１６９】
本出願のこの実施形態では、シグナリング決定ユニットはさらに、第１タイプシグナリングが第２通信ノードに送信された後に、第２タイプシグナリングを決定し、第２タイプセットの通知情報は第２通信ノードのための第１タイプセットに基づいて第２タイプセットを示すために第２タイプシグナリングで搬送される；シグナリング送信ユニットはさらに、第２タイプシグナリングを第２通信ノードに送信するように構成される。第２タイプセットの通知情報は、以下のいずれかを指示するために用いられる：第１タイプセット内のセットの一部をアクティブ化し、第１タイプセット内のアクティブ化されたセットによって第２タイプセットを形成する；第１タイプセット内のセットの一部またはすべてを第２タイプセットに結合する；第１タイプセット内のセット内のインデックス要素を第２タイプセットに結合する。
【０１７０】
本願のこの実施形態では、取得された第２タイプセットがＳ個のセットを含む。第２タイプセットのｉ番目のセットは、Ｋｉ個のインデックス要素を含む。ＳおよびＫｉは、１以上の整数である。
【０１７１】
本出願のこの実施形態では、シグナリング決定ユニットはさらに、ビットマップを使用して、第１タイプセット内のセット、または第１タイプセット内のセットのインデックス要素に対して、第２タイプセットを形成するように命令するように構成される。
【０１７２】
本出願のこの実施形態では、第１タイプセットの各セット、または第１タイプセットのセットの各インデックス要素は、ビットマップの各ビットに対応する。ビット位置内の特定の値はビット位置に関連するセットのアクティブ化、組み合わせ、または選択を示し、またはビット位置に関連するセット内のインデックス要素のアクティブ化、組み合わせ、または選択を示す。
【０１７３】
本出願のこの実施形態では、ビットマップを通して選択されたセット内のセットまたはインデックス要素は、第２タイプセット内のセットまたは第２タイプセット内のインデックス要素を示すために、ビットマップ内のビットの順序で符号化される。
【０１７４】
本願のこの実施形態では、第２タイプセットにおいて、第２タイプセットのＸ１セットが明示的に示され、第２タイプセットにおけるＬ−Ｘ１セットがビットマップを使用することによって示される。
【０１７５】
Ｘ１とＬは１以上の整数であり、Ｌは第２タイプシグナリングで搬送される第２タイプセット内のセットの数を示し、Ｘ１はＬ未満の整数を示す。
【０１７６】
本出願のこの実施形態では、シグナリング決定ユニットが第３タイプシグナリングを決定するようにさらに構成され、第３タイプセットの通知情報は、第１タイプセットまたは第２タイプセットの範囲内のセットを指定するように第２通信ノードに命令するために、第３タイプシグナリングで搬送される；シグナリング送信ユニットは第３タイプシグナリングを第２通信ノードに送信するようにさらに構成される。第３タイプセットの通知情報は以下の項目のうちの少なくとも１つに関する指示のために使用される：項目１：関連するダウンリンク復調基準信号のチャネル特性仮定、項目２：関連するアップリンク復調基準信号または関連するアップリンク復調基準信号のチャネル特性仮定、項目３：関連する物理アップリンク制御チャネル（ＰＵＣＣＨ）または関連するＰＵＣＣＨの関連する層、項目４：関連する物理アップリンク共有チャネル（ＰＵＳＣＨ）または関連するＰＵＳＣＨの関連する層、項目５：関連するチャネル状態通知基準信号（ＣＳＩ−ＲＳ）のチャネル特性仮定、項目６：関連するサウンディング基準信号（ＳＲＳ）のチャネル特性仮定、または項目７：関連する干渉測定リソース（ＩＭＲ）基準信号のチャネル特性仮定。
【０１７７】
本出願のこの実施形態では、シグナリング決定ユニットが第３タイプセットを決定するようにさらに構成され、シグナリング送信ユニットは第３タイプセットを第２通信ノードに送信するようにさらに構成される。第３タイプセットは、Ｔ個のセットを含む。Ｔセットのｉ番目のセットは、Ｒｉアップリンク基準信号インデックス要素を含む。ＴとＲｉは１以上の整数である。
【０１７８】
本出願のこの実施形態では、シグナリング決定ユニットが第４タイプシグナリングを決定するようにさらに構成され、第４タイプのセットの通知情報は、第１タイプセット、第２タイプセット、または第３タイプのセットの範囲内のセットを指定するように第２通信ノードへ命令するために、第４タイプシグナリングで搬送される；シグナリング送信ユニットは、第４タイプシグナリングを第２通信ノードに送信するようにさらに構成される。第４タイプセットの通知情報は、以下の（ｉ）または（ｉｉ）のうち少なくともいずれかについての指示のために用いられる：（ｉ）関連するアップリンク復調基準信号、または関連するアップリンク復調基準信号のチャネル特性仮定、（ｉｉ）関連するサウンディング基準信号（ＳＲＳ）、またはＳＲＳのチャネル特性仮定。
【０１７９】
本願のこの実施形態では、第４タイプシグナリングのチャネル特性仮定は、同じアンテナポ−ト仮定に基づき、またはパラメ−タセット（ａ）ドップラー拡散、ドップラーシフト、遅延拡散、平均遅延、平均利得、および空間パラメ−タ、またはパラメ−タセット（ｂ）ドップラー拡散、ドップラーシフト、遅延拡散、平均遅延、および空間パラメ−タのうちの１つに基づいて、同じ空間フィルタに基づく。
【０１８０】
本出願のこの実施態様において、アップリンク基準信号は、発音基準信号（ＳＲＳ）、物理ランダムアクセスチャネル（PＲＡＣＨ）信号またはアップリンク復調基準信号（ＵＬ  ＤＭＲＳ）の１つを含む。
【０１８１】
本出願のこの実施形態では、ＵＬ  ＤＭＲＳが物理アップリンク制御チャネル（ＰＵＣＣＨ）に関連付けられるか、または物理アップリンク共有チャネル（ＰＵＳＣＨ）に関連付けられる。
【０１８２】
本願のこの実施形態では、第４タイプシグナリングのチャネル特性仮定の制約条件は、第３タイプシグナリングのチャネル特性仮定の制約条件よりも強い。
【０１８３】
本出願のこの実施形態では、シグナリング決定部はさらに、Ｅ≧２Ｎｄの場合、Ｅ個のＳＲＳリソースセットから（２Ｎｄ−１）個のＳＲＳリソースセットを選択し、その後、（２Ｎｄ−１）個のＳＲＳリソースセットをダウンリンク制御情報（ＤＣＩ）通知フィ−ルドに関連付けて、非周期的ＳＲＳリソーストリガのためにＥ個のＳＲＳリソースセットをＤＣＩ通知フィ−ルドに関連付けるように構成される。Ｅ＜２Ｎｄの場合、Ｅ個のＳＲＳリソースセットをＤＣＩ通知フィ−ルドに関連付ける。Ｅ、Ｎｄ，Ｗｉは１以上の正の整数である。
【０１８４】
本願のこの実施形態では、（２Ｎｄ−１）個のＳＲＳリソースセットがビットマップを使用してＥ個のＳＲＳリソースセットから選択される。
【０１８５】
本願のこの実施形態では、第３タイプセット内の各セットが１つのインデックス要素を含む。
【０１８６】
本出願のこの実施形態では、ＣＳＩ−ＲＳ、ＳＲＳ、またはＩＭＲ基準信号は非周期的基準信号であり、シグナリング決定ユニットはさらに、基準信号リソースまたは基準信号リソースセットの数が２Ｇ以上である場合に、Ｙ個の基準信号リソースまたは基準信号リソースプ−ルから（２Ｇ−１）個のリソースまたはリソースセットを選択し、選択された（２Ｇ−１）個のリソースまたはリソースセット内の各セットを、選択されたリソースまたはリソースセットのチャネル特性想定を示すために、第３タイプシグナリングによって示される第２タイプセット内のセットに、または第３タイプシグナリングによって示される第１タイプセット内のセットに関連付けるように構成される。
【０１８７】
本出願のこの実施態様において、チャネル特性仮定は、準共位置、ドップラー拡散、ドップラーシフト、遅延拡散、平均遅延、平均利得、空間受信パラメ−タ、空間関係または空間パラメ−タのうちの少なくとも１つを含む。
【０１８８】
本出願のこの実施態様において、規則に従って、第２タイプセットにおける合意されたセットは、関連する物理的アップリンク制御チャネル（ＰＵＣＣＨ）を示すために、または関連するＰＵＣＣＨの復調基準信号のチャネル特性仮定を示すために使用される。
【０１８９】
本出願のこの実施形態では、前記ル−ルは以下のうち少なくともいずれかである：ル−ル１：最低のシリアル番号のセット；ル−ル２：最高のシリアル番号のセット；ル−ル３：第１通信ノードによって構成されたシリアル番号のセット。
【０１９０】
本出願のこの実施形態では、シグナリング決定ユニットはさらに：第５タイプシグナリングを生成し、第１タイプセットまたは第２タイプセットの１つのセットのうちの少なくとも１つを第２通信ノードのビームレポ−トに関連付け、ビームレポ−ト結果に従ってセット内の通知されたセットまたはインデックス要素を更新する；ように構成される。
【０１９１】
本願のこの実施形態では、シグナリング決定ユニットはさらに、ユ−ザが肯定応答シグナリングを受信した後、更新有効時間が肯定応答シグナリングが送信された後のＸスロットであるように構成される。Ｘは１以上の整数である。
【０１９２】
本出願のこの実施形態では、シグナリング決定ユニットはさらに、（ｉ）第１タイプセットの１つのセットまたは第１タイプセットの１つのセットのインデックス要素、または（ｉｉ）第２タイプセットの１つのセットまたは第２タイプセットの１つのセットの１つのインデックス要素に関連するダウンリンク基準信号のチャネル特性仮定を更新するか、または、（ｉ）第１タイプセットの１つのセットまたは第１タイプセットの１つのセットのインデックス要素、または（ｉｉ）第２タイプセットの１つのセットまたは第２タイプセットの１つのセットの１つのセットのインデックス要素に関連するダウンリンク基準信号をアクティブ化する、ように構成される。
【０１９３】
本出願のこの実施態様において、ダウンリンク基準信号は、ＣＳＩ−ＲＳ、時間−周波数トラッキングのためのＣＳＩ−ＲＳ、またはＴＲＳのうちの少なくとも１つを含む。
【０１９４】
本願のこの実施形態では、第２通信ノードに送信される肯定応答シグナリングに必要とされる特性は、肯定応答シグナリングのＤＣＩを搬送するＤＣＩ、ＰＤＳＣＨをスケジュ−リングするＤＣＩ、ＵＥが望むように肯定応答シグナリングのＤＣＩを搬送しないＤＣＩ、またはＰＤＳＣＨをスケジュ−リングしないＤＣＩ、またはＰＤＳＣＨを関連付けないＤＣＩのうちの少なくとも１つを含む。
【０１９５】
本願のこの実施形態では、第１通信ノードは、ポ−トインデックスのグループの通知に従ってＣＳＩを報告するように第２通信ノードに対して指示し、第２通信ノードによるポ−トインデックスのグループの通知の理解は特性要件を満たす。
【０１９６】
本願のこの実施形態では、特性要件が層間ネスティングの特性を含む。
【０１９７】
本出願のこの実施形態では、層間ネスティングの特性は以下の通りである：ランクｉを測定するためのポ−トグループがランクｊを測定するためのポ−トグループのサブセットであり、ｉ＜ｊ、ｊは１以上の整数である。
【０１９８】
本出願のこの実施形態は前述の実施形態と概念的に類似しているか、または概念的に同じであり、基準信号チャネル特性を設定するための装置をさらに提供する。この装置は通信デバイス、例えば、ＵＥ内において構成され、シグナリング受信ユニットと、セット収集ユニットとを含む。
【０１９９】
シグナリング受信ユニットは、第１通信ノードによって送信された第１タイプシグナリングを受信するように構成される。第１タイプシグナリングは第１タイプセットを搬送し、第１タイプセットは、複数のインデックス要素を含む。セット取得ユニットは、第１タイプセットを保存するように構成される。
【０２００】
本出願のこの実施形態では、シグナリング受信ユニットが第１通信ノードによって送信された第２タイプシグナリングを受信するようにさらに構成され、第２タイプセットの通知情報は第２通信ノードのための第１タイプセットに基づいて第２タイプセットを示すために第２タイプシグナリングで搬送される；セット収集ユニットは、受信された第２タイプシグナリングで搬送された第２タイプセットの通知情報に従って、第１タイプセットに基づいて第２タイプセットを取得するように構成される。受信された第２タイプシグナリングで搬送される第２タイプセットの通知情報に従って第１タイプセットに基づいて第２タイプセットを取得する動作は、以下のうちの少なくとも１つを含む：第１タイプセット内のセットの一部をアクティブ化し、第１タイプセット内のアクティブ化されたセットによって第２タイプセットを形成すること；第１タイプセット内のセットの一部またはすべてを第２タイプセットに結合すること；第１タイプセット内のセット内のインデックス要素を第２タイプセットに結合すること。
【０２０１】
本願のこの実施形態では、ＵＥが第１通信ノードによって送信されたリンク再構成要求シグナリングの肯定応答を受信し、肯定応答を受信した後、第２通信ノードは以下の動作のうちの少なくとも１つを実行する：第１通信ノードによって送信されたリンク再構成要求シグナリングによって示されるダウンリンク基準信号に対応する基準信号インデックスに対して、第１タイプセットまたは第２タイプセットにおいて合意されたセットを更新するステップ；受信された物理アップリンク共有チャネル（ＰＤＳＣＨ）のダウンリンク基準信号および復調基準信号（ＤＭＲＳ）がチャネル特性仮定を満たすことを決定するステップであって、ダウンリンク基準信号は第１通信ノードによって送信されたリンク再構成要求シグナリングによって示されるダウンリンク基準信号である、ステップ；送信されるアップリンク基準信号および物理アップリンク制御チャネル（ＰＵＣＣＨ）がチャネル特性仮定を満たすことを決定するステップであって、アップリンク基準信号はリンク再構成要求シグナリングに関連づけられている、ステップ；信されるべきＰＵＣＣＨおよび要求シグナリングによって使用されるＰＵＣＣＨが同じチャネル特性仮定を有することを決定するステップであって、要求シグナリングによって使用されるＰＵＣＣＨは第１通信ノードによって送信されるリンク再構成要求シグナリングによって使用されるＰＵＣＣＨである、ステップ。
【０２０２】
本出願のこの実施形態は先の実施形態と概念的に類似しているか、または概念的に同じであり、端末をさらに提供する。端末は、メモリと、プロセッサと、メモリに記憶され、プロセッサ上で実行可能なコンピュ−タプログラムとを含む。プロセッサは、コンピュ−タプログラムを実行して、本出願の任意の実施形態で提供される基準信号のチャネル特性を設定するための方法を実行する。
【０２０３】
本出願のこの実施形態は、先の実施形態と概念が類似しているか、または概念が同じであり、通信デバイスをさらに提供する。通信デバイスは、本出願の任意の実施形態において提供される基準信号チャネル特性を設定するための装置を含む。
【０２０４】
従来技術と比較して、本出願は、基準信号のチャネル特性を設定するための方法を提供する。この方法は以下を含む：第１タイプシグナリングを決定するステップであって第１タイプシグナリングが第はタイプセットを搬送し、第１タイプセットは複数のインデックス要素を含む、ステップ；第１タイプシグナリングを第２通信ノードに送信するステップ。本出願のこの解決策によって、ＱＣＬ仮定または強制的な制約通知方法を使用して、アップリンク基準信号がビームトレ−ニングまたはチャネル状態情報取得に使用されることを差分的に通知、これにより、ユ−ザ移動およびチャネル変更シナリオに適応し、ビーム通知オ−バヘッドを低減し、システム柔軟性を向上させる効果を達成する。 
【図１】
2021503836.tif 000007
【図２】
2021503836.tif 000008
【図３】
2021503836.tif 000009
【図４】
2021503836.tif 000010
【図５】
2021503836.tif 000011
【手続補正書】
【提出日】令和2年6月11日(2020.6.11)
【手続補正１】
【補正対象書類名】明細書
【補正対象項目名】００６１
【補正方法】変更
【補正の内容】
【００６１】
本出願の別実施形態では、第２タイプセットにおいて、第２タイプセット内のＸ１セットが明示的に示され、Ｘ１セットがビットマップを使用して示される。Ｘ１は１以上の整数である。１実施形態では、第２タイプセットが２つの異なる通知方法を使用して通知される。ビットマップはコストを効果的に節約できるが、効果的なシ−ケンス情報を提供できない。第１タイプセットからの選択において、第２タイプセット内の通知された位置のセットは、デフォルト構成の点で他のセットと一致しない。
【手続補正２】
【補正対象書類名】特許請求の範囲
【補正対象項目名】全文
【補正方法】変更
【補正の内容】
【特許請求の範囲】
【請求項１】
基準信号チャネル特性を設定するための方法であって、
第１通信ノードによって、送信構成通知（ＴＣＩ）状態の第１セットを記述する情報を搬送する無線リソース制御（ＲＲＣ）シグナリングを決定するステップであって、
前記第１セットの各ＴＣＩ状態は、１以上の基準信号を識別する１以上のインデックス要素を有する、
ステップ；
前記第１通信ノードによって、前記ＲＲＣシグナリングを第２通信ノードに対して送信するステップ；
前記第１通信ノードによって、ＴＣＩ状態の第２セットがアクティブ化されたことを通知する情報を搬送するメディアアクセス制御−制御エレメント（ＭＡＣ−ＣＥ）シグナリングを決定するステップであって、
ＴＣＩ状態の前記第２セットは、ＴＣＩ状態の前記第１セットからアクティブ化された少なくとも１つのＴＣＩ状態を含み、
ＴＣＩ状態の前記第２セットは、ＴＣＩ状態の前記第１セットに関連付けられたビットマップに基づきアクティブ化され、
ＴＣＩ状態の前記第１セットの各ＴＣＩ状態は、前記ビットマップ内のビットにそれぞれ対応し、
ビット位置の特定の値は、前記ビット位置に関連付けられたＴＣＩ状態がアクティブ化されているか否かを示す、
ステップ；
前記第１通信ノードによって、前記ＭＡＣ−ＣＥシグナリングを前記第２通信ノードに対して送信するステップ；
を有する方法。
【請求項２】
ＴＣＩ状態の前記第１セットはＭ個のセットを含み、
ＴＣＩ状態の前記第２セットはＳ個のセットを含み、
ＭとＳは１以上の整数である、
請求項１記載の方法。
【請求項３】
前記ＲＲＣグナリングを前記第２通信ノードに対して送信した後、前記方法はさらに、
前記第１通信ノードによって、前記ＲＲＣシグナリング内に含まれる前記情報を再構成して、ＴＣＩ状態の前記第１セットのうち少なくとも１つのＴＣＩ状態を搬送する再構成ＲＲＣシグナリングを取得するステップ；
前記第１通信ノードによって、前記再構成ＲＲＣシグナリングを前記第２通信ノードに対して送信するステップであって、前記再構成ＲＲＣシグナリングは、前記少なくとも１つのＴＣＩ状態を含むことにより、前記第２通信ノードに対して、前記第１セットからの少なくとも１つのＴＣＩ状態を削除するように通知する、ステップ；
を有する、
請求項１記載の方法。
【請求項４】
前記方法はさらに、
前記第１通信ノードによって、前記ビットマップのビット順序にしたがって、ＴＣＩ状態の前記第２セットをエンコードするステップであって、前記ビットは、ＴＣＩ状態の前記第１セットからの少なくとも１つのＴＣＩ状態がアクティブ化していることを示す、ステップ、
を有する、
請求項１記載の方法。
【請求項５】
前記方法はさらに、
前記第１通信ノードによって、前記第２通信ノードについてのＴＣＩ状態の前記第２セットの範囲内のＴＣＩ状態の通知情報を含むダウンリンク制御情報（ＤＣＩ）シグナルを決定するステップ；
前記第１通信ノードによって、前記ＤＣＩシグナルを前記第２通信ノードに対して送信するステップ；
を有し、
前記通知情報は、前記ＴＣＩ状態の前記１以上のインデックス要素によって識別される前記１以上の基準信号とダウンリンク復調基準信号を関連付けることにより、前記ダウンリンク復調基準信号のチャネル特性仮定を通知する、
請求項１記載の方法。
【請求項６】
基準信号チャネル特性を設定するための方法であって、
第２通信ノードによって、送信構成通知（ＴＣＩ）状態の第１セットを記述する情報を搬送する無線リソース制御（ＲＲＣ）シグナリングを第１通信ノードから受信するステップであって、
前記第１セット内の各ＴＣＩ状態は、１以上の基準信号を識別する１以上のインデックス要素を含む、
ステップ；
前記第２通信ノードによって、ＴＣＩ状態の第２セットがアクティブ化したことを通知する情報を搬送するメディアアクセス制御−制御エレメント（ＭＡＣ−ＣＥ）シグナリングを、前記第１通信ノードから受信するステップであって、
ＴＣＩ状態の前記第２セットは、ＴＣＩ状態の前記第１セットからアクティブ化された少なくとも１つのＴＣＩ状態を含み、
ＴＣＩ状態の前記第２セットは、ＴＣＩ状態の前記第１セットに関連付けられたビットマップに基づきアクティブ化され、
ＴＣＩ状態の前記第１セットからの各ＴＣＩ状態は、前記ビットマップ内のビットにそれぞれ対応し、
ビット位置の特定の値は、前記ビット位置と対応するＴＣＩ状態がアクティブ化されているか否かを示す、
ステップ；
を有する方法。
【請求項７】
前記ＲＲＣシグナリングを受信した後、前記方法はさらに、
前記第２通信ノードによって、ＴＣＩ状態の前記第１セットからの少なくとも１つのＴＣＩ状態を搬送する再構成ＲＲＣシグナリングを、前記第１通信ノードから受信するステップ；
前記再構成ＲＲＣシグナリングによって通知された前記少なくとも１つのＴＣＩ状態を削除するステップ；
を有する、
請求項６記載の方法。
【請求項８】
ＴＣＩ状態の前記第１セットはＭ個のセットを有し、
ＴＣＩ状態の前記第２セットはＳ個のセットを有し、
ＳとＭは１以上の整数である、
請求項６記載の方法。
【請求項９】
ＴＣＩ状態の前記第２セットは、前記ビットマップのビット順序にしたがってエンコードされ、前記ビットは、ＴＣＩ状態の前記第１セットからの少なくとも１つのＴＣＩ状態がアクティブ化していることを示す、
請求項６記載の方法。
【請求項１０】
前記方法はさらに、
前記第２通信ノードによって、ＴＣＩ状態の前記第２セットの範囲内のＴＣＩ状態の通知情報を含むダウンリンク制御情報（ＤＣＩ）シグナルを、前記第１通信ノードから受信するステップを有し、
前記通知情報は、前記ＴＣＩ状態の前記１以上のインデックス要素によって識別される前記１以上の基準信号とダウンリンク復調基準信号を関連付けることにより、前記ダウンリンク復調基準信号のチャネル特性仮定を通知する、
請求項６記載の方法。
【請求項１１】
メモリと、プロセッサと、前記メモリに記憶され、前記プロセッサ上で実行可能なコンピュ−タプログラムと、を備える端末であって、前記プロセッサは、前記コンピュ−タプログラムを実行して、請求項１から１０のいずれか１項記載の方法を実行することを特徴とする端末。
【国際調査報告】
2021503836.tif 000012
2021503836.tif 000013
2021503836.tif 000014
2021503836.tif 000015